(57)【要約】【課題】  部品点数も多く、その各々の部品に対して多くの加工が施されている為に複雑な構成となり高価なものとなってしまっている。又、各々の部品を成形品として製造する場合であっても、金型が複雑になってしまい、その複雑が故に造る手間がかかり、複数のギアや鋸歯が存在する為、噛合わせ精度の算出が難しく、製品の精度も悪いものとなってしまっている。【解決手段】  転写ヘッドが転写具ケースに対して出没可能に配置され、また、転写テープが巻回された繰出コアと、その繰出コアから繰り出された転写テープを巻き取る巻取コアが配置された塗膜転写具であって、前記転写ヘッドの出没動作に連動して作動するテープ走行経路変更部材を転写ヘッドに配置すると共に、少なくともその転写ヘッドの没入動作の際、前記テープ走行経路変更部材に転写テープを巻回させた塗膜転写具。【選択図】  図１
2010195029.tif 000002
【特許請求の範囲】
【請求項１】
転写ヘッドが転写具ケースに対して出没可能に配置され、また、転写テープが巻回された繰出コアと、その繰出コアから繰り出された転写テープを巻き取る巻取コアが配置された塗膜転写具であって、前記転写ヘッドの出没動作に連動して作動するテープ走行経路変更部材を転写ヘッドに配置すると共に、少なくともその転写ヘッドの没入動作の際、前記テープ走行経路変更部材に転写テープを巻回させたことを特徴とする塗膜転写具。
【請求項２】
前記繰出しコアと巻取コアを同軸上に配置した請求項１記載の塗膜転写具。
【発明の詳細な説明】
【技術分野】
【０００１】
本発明は、転写具ケースに、基材の表面に転写塗膜を備えた転写テープを巻き付けた繰出コアと、その繰出コアから繰出された転写テープを基材の裏面側から被転写面に押圧して、前記転写塗膜を被転写面に転写する転写ヘッドと、前記繰出しコアから引出され、前記転写ヘッド先端を経た基材を巻き取る巻取コアとを備えてなる塗膜転写具に関する。
【背景技術】
【０００２】
従来から、転写時には転写ヘッドがケースから突出し、非転写時には転写ヘッドがケース内に収納することのできる塗膜転写具が知られている。例えば、特開２００７−１３６９５９号公報に記載されたものである。
前記特開２００７−１３６９５９号公報に記載された塗膜転写具は、転写ヘッドを摺動させて、転写を行うために転写テープに当接させてケースから突出させ、さらに、転写具ケース内に収納させるスライド機構と供給ボビンと供給リールとの間に介在し、転写ヘッドを突出させる摺動動作がスライド機構により行われたとき、供給ボビンと供給リールとの連動を解除し、前記転写時における転写テープの走行により、転写テープを巻き取る方向に供給ボビンが回転するときは、その方向に供給リールと供給ボビンとを連動して回転させるスリップ機構とを備え、更に、スライド機構は、転写ヘッドを収納する摺動動作をさせたとき、供給リールに係合して供給リールを逆回転させる構成としている。
【先行技術文献】
【特許文献】
【０００３】
【特許文献２】特開２００７−１３６９５９号公報。
【発明の概要】
【発明が解決しようとする課題】
【０００４】
しかしながら、特開２００７−１３６９５９号公報に記載された従来技術では、転写具ケースから突出した転写ヘッドに対してスライド機構を摺動させて転写具ケース内に収納動作を行う際、スライド機構の歯車が供給リールに噛合うことで、連動させてテープを転写具ケースに収納する構成となっている。しかし、前記スライド機構とテープ収納機構を連動させる為には、転写ヘッド５、連結部１０２、ケース１０、供給ボビン２１、転写テープＴ、巻取ボビン３１、供給リール２、巻取リール３、スリップ機構付きクラッチ２２、リール連動歯車６、歯車１０３、バネ部１０４、作動部１０１、テープユニット４の１４部品（ケース及びテープユニットを上部・下部に分けた場合は１６部品）が必要な構成となっている。更に、上記の転写ヘッド及び転写テープが転写具ケースに対して出没する連動動作を行う為に、例えば、連結部１０２には貫通孔１０２ａや鋸歯形状の伝達部１０２ｂ、テープユニット４には張架部材４１、供給リール２には歯車２ａと歯車２ｂ、ケース下部１０ｂには軸部１０ｄ、軸部１０ｅ、軸部１０ｆ、凹部１０ｇ、摺動溝１０ｈ、係止溝１０ｉがそれぞれ形成されている。つまり、上記構成では、部品点数も多く、その各々の部品に対して多くの加工が施されている為に複雑な構成となり高価なものとなってしまっている。又、各々の部品を成形品として製造する場合であっても、金型を造る手間がかかり、複数のギアや鋸歯が存在する為、噛合わせ精度の算出が難しく、製品の精度も悪いものとなってしまっている。
【課題を解決するための手段】
【０００５】
本発明は、転写ヘッドが転写具ケースに対して出没可能に配置され、また、転写テープが巻回された繰出コアと、その繰出コアから繰り出された転写テープを巻き取る巻取コアが配置された塗膜転写具であって、前記転写ヘッドの出没動作に連動して作動するテープ走行経路変更部材を転写ヘッドに配置すると共に、少なくともその転写ヘッドの没入動作の際、前記テープ走行経路変更部材に転写テープを巻回させたことを要旨とする。
【発明の効果】
【０００６】
本発明は、転写ヘッドが転写具ケースに対して出没可能に配置され、また、転写テープが巻回された繰出コアと、その繰出コアから繰り出された転写テープを巻き取る巻取コアが配置された塗膜転写具であって、前記転写ヘッドの出没動作に連動して作動するテープ走行経路変更部材を転写ヘッドに配置すると共に、少なくともその転写ヘッドの没入動作の際、前記テープ走行経路変更部材に転写テープを巻回させたので、塗膜転写具を簡単な構成で安価に提供することができる。
【図面の簡単な説明】
【０００７】
【図１】本発明の第１実施例の構成を示す分解斜視図。
【図２】本発明の第1実施例のスライドボタン、転写具ケース上部、巻取コア、繰出コアを示す外観斜視図。
【図３】本発明の第1実施例の転写ヘッド突出状態を示す転写具の外観斜視図。
【図４】本発明の第1実施例に関わる転写ヘッドが転写具ケース内より突出した状態における転写塗膜の位置を示す構成図。
【図５】本発明の第1実施例に関わる転写ヘッドが転写具ケース内に収納された状態における転写塗膜の位置を示す構成図。
【図６】本発明の第２実施例の構成を示す分解斜視図。
【図７】本発明の第２実施例のスライドボタン、転写具ケース上部、巻取コア、繰出コアを示す外観斜視図。
【図８】本発明の第２実施例の転写ヘッド突出状態を示す転写具の外観斜視図。
【図９】本発明の第２実施例に関わる転写ヘッドが転写具ケース内より突出した状態における転写塗膜の位置を示す構成図。
【図１０】本発明の第２実施例に関わる転写ヘッドが転写具ケース内に収納された状態における転写塗膜の位置を示す構成図。
【図１１】本発明の第３実施例の構成を示す分解斜視図。
【図１２】本発明の第３実施例のスライド部材、転写具ケース上部を示す外観斜視図。
【図１３】本発明の第３実施例の転写ヘッド突出状態を示す転写具の外観斜視図。
【図１４】本発明の第３実施例に関わる転写ヘッドが転写具ケース内より突出した状態における転写塗膜の位置を示す構成図。
【図１５】本発明の第３実施例に関わる転写ヘッドが転写具ケース内に収納された状態における転写塗膜の位置を示す構成図。
【図１６】本発明の第４実施例の構成を示す分解斜視図。
【図１７】本発明の第４実施例の転写具ケース上部、スライド機構を示す外観斜視図。
【図１８】本発明の第４実施例の転写ヘッド突出状態を示す転写具の外観斜視図。
【図１９】本発明の第４実施例に関わる転写ヘッドが転写具ケース内に収納された状態における転写塗膜の位置を示す構成図。
【図２０】本発明の第４実施例に関わる転写ヘッドが転写具ケース内より突出した状態における転写塗膜の位置を示す構成図。
【図２１】本発明の第５実施例の構成を示す分解斜視図。
【図２２】本発明の第５実施例に関わる転写ヘッドの斜視図。
【図２３】本発明の第５実施例に関わる転写ヘッドが転写具ケース内に収納された状態における転写塗膜の位置を示す構成図。
【図２４】本発明の第５実施例に関わる転写ヘッドが転写具ケース内より突出した状態における転写塗膜の位置を示す構成図。
【図２５】本発明の第５実施例の転写ヘッド突出時の転写ヘッド状態を示す外観斜視図。
【図２６】本発明の第５実施例の転写ヘッド収納時の転写ヘッド状態を示す外観斜視図。
【図２７】本発明の第６実施例の構成を示す分解斜視図。
【図２８】本発明の第６実施例のスライドボタン、転写具ケース上部、巻取コア、繰出コアを示す外観斜視図。
【図２９】本発明の第６実施例の転写ヘッド突出状態を示す転写具の外観斜視図。
【図３０】本発明の第６実施例に関わる転写ヘッドが転写具ケース内より突出した状態における転写塗膜の位置を示す構成図。
【図３１】本発明の第６実施例に関わる転写ヘッドが転写具ケース内に収納された状態における転写塗膜の位置を示す構成図。
【図３２】本発明の第７実施例の構成を示す分解斜視図。
【図３３】本発明の第７実施例のスライドボタン、転写具ケース上部、巻取コア、繰出コアを示す外観斜視図。
【図３４】本発明の第７実施例の転写ヘッド突出状態を示す転写具の外観斜視図。
【図３５】本発明の第７実施例に関わる転写ヘッドが転写具ケース内より突出した状態における転写塗膜の位置を示す構成図。
【図３６】本発明の第７実施例に関わる転写ヘッドが転写具ケース内に収納された状態における転写塗膜の位置を示す構成図。
【図３７】本発明の第８実施例の構成を示す分解斜視図。
【図３８】本発明の第８実施例のスライド部材、転写具ケース上部を示す外観斜視図。
【図３９】本発明の第８実施例の転写ヘッド突出状態を示す転写具の外観斜視図。
【図４０】本発明の第８実施例に関わる転写ヘッドが転写具ケース内に収納された状態における転写塗膜の位置を示す横断面構成図。
【図４１】本発明の第８実施例に関わる転写ヘッドが転写具ケース内より突出した状態における転写塗膜の位置を示す横断面構成図。
【図４２】本発明の第８実施例に関わる転写ヘッドが転写具ケース内より突出した状態における転写塗膜の位置を示す構成図。
【図４３】本発明の第８実施例に関わる転写ヘッドが転写具ケース内に収納された状態における転写塗膜の位置を示す構成図。
【発明を実施するための形態】
【０００８】
（実施例１）
図１、図２、図３の図面に基づき第１実施形態の塗膜転写具の構成について説明する。転写具ケース１は転写具ケース下部１０と転写具ケース上部２０より構成されている。転写具ケース下部１０は、前壁１０ａ、後壁１０ｂ、右壁１０ｃ、左壁１０ｄと底壁１０ｅを有する有底の箱形状を成している。転写具ケース下部１０内の中央部には、突出した回転軸１０ｆが立設されており、巻取コア３０がその回転軸１０ｆに軸支されている。その前記巻取コア３０は、円筒形状を成しており、転写具ケース下部１０の底壁１０ｅ近傍の円筒部側面には、半月状の円筒部材であるスリップ部３０ａが側面に沿って放射状に形成されている。更に、前記巻取コア３０の上部には、繰出コア４０より繰出された転写テープＴを巻取る巻取り部３０ｂが、円筒状に形成されている。更に、巻取り部３０ｂの下部とスリップ部３０ａ上部の間には、前記巻取り部３０ｂの外径より大な円柱部材３０ｃが形成されている。
また、その円柱部材３０ｃの上面であって、巻取り部３０ｂ下部には、弾性変形が可能な係合部３０ｄが形成されており、転写具ケース上部２０の底壁２０ｅに形成された放射状溝２０ｋと係脱可能に係合している。尚、前記係合部３０ｄは、円柱部材３０ｃに「コ」字型の溝３０ｅを円弧状に形成することによって、円弧状の係合部３０ｄとしており、その係合部３０ｄの先端には係合爪３０ｆが形成されている。その係合爪３０ｆは、円柱部材３０ｃの上面から突出した状態で形成されており、前記放射状溝２０ｋに係脱可能に係合している。
一方、繰出コア４０は、円筒形状を成しており、その高さは転写テープＴの幅よりも大きく設計されている。また、繰出コア４０の内側は、前記スリップ部３０ａの側面に圧接された状態で嵌合されている。これにより、繰出コア４０は摩擦抵抗を付与された状態で回転自在に軸支され、繰出コア４０のスリップ部３０ａに対する回転方向への摩擦抵抗が付与されると共に、お互いが組み付けられ、また、分解が防止されている。また、繰出コア４０には、転写テープＴが巻き付けられている。更に、繰出コア４０の転写具ケース下部１０に近い底面４０ａには、円状の溝である巻取り溝４０ｂが放射状に形成されている。
【０００９】
転写具ケース下部１０の底壁１０ｅにあって、前壁１０ａと右壁１０ｃの角側ではない他の３隅には、組み付け部１０ｇ、１０ｈ、１０ｉが円柱状に形成されている。また、前壁１０ａにあって、右壁１０ｃの近傍には、ケース下部開口部１０ｊが、長方形状に貫通穴として空いている。さらにケース下部開口部１０ｊの右壁１０ｃ近傍の側面と反対の側面には、並行な壁と壁が転写具ケース下部１０の右壁１０ｃに沿って中央付近まで形成され、ガイドレール１０ｋとガイドレール１０ｌとなっている。そのガイドレール１０ｋ、１０ｌの向かい合う壁の上部近傍には、ガイド溝１０ｍ、１０ｎが貫通穴として各々空いている。また、転写具ケース下部１０の底壁１０ｅであって、回転軸１０ｆより右壁１０ｃ側方向で、ガイドレール１０ｌの外側近傍には、テープ走行経路固定変更部材１０ｏが円柱状に立設されている。
また、ローラー５０は円筒形状を成しており、その内径はテープ走行経路固定変更部材１０ｏの外形より大であり、テープ走行経路固定変更部材１０ｏに軸支され、回転自在としている。また、回転軸１０ｆの周りには、半円弧状の穴１０ｐが形成されている。
【００１０】
転写具ケース上部２０は、前壁２０ａ、後壁２０ｂ、右壁２０ｃ、左壁２０ｄと底壁２０ｅを有する有底の箱形状を成しており、転写具ケース下部１０と同形状の底面を有している。また、転写具ケース上部２０の底壁２０ｅには、組み付け部２０ｇ、２０ｈ、２０ｉが円筒形状に形成されており、転写具ケース下部１０の組み付け部１０ｇ、１０ｈ、１０ｉと嵌合可能としている。同様に、組み付け部２０ｆと組み付け部２０ｏも円筒形状を成しており、回転軸１０ｆと嵌合可能な組み付け部２０ｆ、テープ走行経路固定変更部材１０ｏと嵌合可能な組み付け部２０ｏとなっている。また、転写具ケース上部２０であって、組み付け部２０ｆの外形より大の内径を持つ逆転防止部材２０ｌが回転軸１０ｆを中心として円筒形状に形成されており、その上部には、放射状の溝２０ｋが形成されている。転写具ケース上部２０には、転写具ケース下部１０と同様の個所に、ケース上部開口部２０ｊが形成されている。また、前記ケース上部開口部２０ｊと前記ケース下部開口部１０ｊによって成される穴をケース開口部２とする。
また、転写具ケース上部２０の天面にあって、ケース開口部２０ｊ近傍、右壁２０ｃの近傍には、ガイド溝２０ｍが長方形状の溝として形成されている。更に、ガイド溝２０ｍには、転写ヘッドガイド穴２０ｎが前壁２０ａ近傍より長方形状に空いている。そのガイド溝２０ｍ内にあって、転写ヘッドガイド穴２０ｎの後方には、ボタンガイド穴２０ｐがガイド溝２０ｍの後端部にかけて長方形状に空いており、ボタンガイド穴２０ｐの４隅には、更に正方形穴２０ｑが側面側に向けて空いている。
【００１１】
転写ヘッド６０は、長方体の板状を成しており、弾性変形が可能な材質を用いている。また、転写ヘッド６０の前方端部には、断面形状がほぼ三角形状の押圧部６０ａが形成されており、その押圧部６０ａとは反対側の端部付近には、円柱状に突設したテープ走行経路移動変更部材６０ｂが配設されている。更に、テープ走行経路移動変更部材６０ｂが配設されている面とは反対側であって、転写ヘッド６０のほぼ中央部であり、転写ヘッド６０の両側面のほぼ端部には、長方体形状のスライド突起６０ｃ、６０ｄが立設されている。そのスライド突起６０ｃ、６０ｄの上端部の内側には、ほぼ三角形状を成した係止突起６０ｅ、６０ｆが形成されている。また、転写ヘッド６０の前方部の幅方向の両側部には、ほぼ三角形状を成したテープガイド６０ｇが形成されている。
スライドボタン７０は、転写ヘッド６０と同様に、長方体の板状を成しており、弾性変形が可能な材質を用いている。また、スライドボタン７０の前方端部には、長方体形状の突起であるボタンスライド部７０ａが形成され、そのボタンスライド部７０ａには、転写ヘッド嵌合穴７０ｂがある。転写ヘッド嵌合穴７０ｂは、長方形状を成しており、係止突起６０ｄと係止可能となっている。また、スライドボタン７０のほぼ中央部にあって、ボタンスライド部７０ａが形成されている側には、長方体状のケーススライド部７０ｃが突設されており、ケーススライド部７０ｃの上部には、ケーススライド部７０ｃの上面より大で、ボタンガイド穴２０ｐと正方形穴２０ｑを含めた大きさの長方体の突起であるスライド係止部７０ｄが形成されている。また、スライドボタン７０の後方端部には、弾性反発部７０ｅがほぼ三角形状を成した突起として形成されている。更に、スライドボタン７０のケーススライド部７０ｃとは反対側の面には、ボタン滑り止め部７０ｆがほぼ三角形状を成した複数の突起として形成され、中央部から端部にかけて形成されている。
尚、本実施例では、転写具ケース下部１０、転写具ケース上部２０、巻取コア３０、繰出コア４０、ローラー５０、転写ヘッド６０、スライドボタン７０、転写テープＴの８つの部品で構成されている。
【００１２】
次に、本実施例の作用について図４、図５の図面も含めて説明する。転写ヘッド６０に対して一体に成形されている係止突起６０ｄとスライドボタン７０の転写ヘッド嵌合穴７０ｂとが係止されているため、例えば、スライドボタン７０をケース開口部２に対して前後に摺動させると、転写ヘッド６０が転写具ケース１のケース開口部２から出没する。
修正テープ転写時において、繰出コア４０より繰出された転写テープＴは、テープ走行経路固定変更部材１０ｏに向かって送出され、ローラー５０の前壁１０ａ側で側面で折り返され、転写ヘッド６０のテープ走行経路移動変更部材６０ｂに向かう。また、この時に転写テープＴの転写塗膜Ｓ側が、ローラー５０の側面に接触する。そして、ローラー５０がテープ走行経路固定変更部材１０ｏに回転自在に軸支されていることにより、転写テープＴはスムーズに送り出されることになり、更に、転写塗膜Ｓ側が接触しても、塗膜面への傷付が防止される。そして、そのテープ走行経路移動変更部材６０ｂの後壁１０ｂ側の側面で転写テープＴ側は接触しながら折り返され、転写ヘッド６０の下面を通過し、転写ヘッド押圧部６０ａで転写テープＴ側が接触しながら折り返される。折り返された転写テープＴは、転写ヘッド押圧部６０ａより、転写ヘッド６０の上面を通過し、スライド突起６０ｃ、６０ｄ間を通過しながら組み付け部１０ｉに向かう。そして、組み付け部１０ｉの右壁１０ｃ側であって、後壁１０ｂ側の側面で折り返された転写テープＴは、巻取コア３０の巻取り部３０ｂによって巻き取られる構成となっている。また、この後壁１０ｂ側の側面で折り返されて接触するテープの面は、転写テープＴ側であっても、転写塗膜Ｓ側であっても良いが、塗膜への傷付がない転写テープＴ側が望ましい。
ここで、転写具ケース１に転写ヘッド６０を収納させる際には、スライドボタン７０をガイド溝２０ｍに沿って転写具ケース１の後方へ移動させる。この時、転写ヘッド６０に形成されているテープ走行経路移動変更部材６０ｂもスライドボタン７０と連動して後退し、同時に、テープ走行経路移動変更部材６０ｂを介している転写テープＴは転写具ケース１内に収納される。更に、その際、テープ走行経路移動変更部材６０ｂとテープ走行経路固定変更部材１０ｏとの間にある転写テープＴもテープ走行経路移動変更部材６０ｂの後退により離間距離が生まれるため、転写テープＴは転写具ケース１内に収納される。また、この時、転写テープＴの収納時においても、巻取コア３０の係合部３０ｄが、放射状溝２０ｋと係合しているため、巻取り方向とは逆に回転することが防止され、転写テープＴは巻取らない。
故に、転写ヘッド６０を転写具ケース１に収納すると、テープ走行経路移動変更部材６０ｂが後退し、そのテープ走行経路変更部材６０ｂを介していた転写テープＴは、テープ走行経路移動変更部材６０ｂによって引っ張られた距離と、テープ走行経路移動変更部材６０ｂとテープ走行経路固定変更部材１０ｏとの離間距離とで引っ張られ、転写テープＴは収納される。即ち、テープ走行経路変更部材６０ｂの移動距離に対して、転写テープＴはほぼ２倍の距離移動し収納されることになる。
この引っ張り動作によって、転写ヘッド６０の下部に位置していた転写テープＴに対して貼り付けられている転写塗膜Ｓが転写ヘッド６０の後方に収納される。上記構成が故、繰出コア４０から繰出され、テープ走行経路固定変更部材１０ｏを軸とするローラー５０を介し、テープ走行経路移動変更部材６０ｂを介して、転写ヘッド６０の押圧部６０ａで折り返され、スライド突起６０ｃ、６０ｄ間を通り、組み付け部１０ｉを介して、巻取コア３０の巻取り部３０ｂにより巻き取られる転写テープＴの長さは、転写ヘッド６０の没入操作時においても弛むことなく一定である。尚、転写テープＴは、出没動作時において常に弛むことのない状態であり、前記に記述した転写ヘッド６０の収納時に転写ヘッド６０の下部に位置していた転写テープＴに対して貼り付けられている転写塗膜Ｓが転写ヘッド６０の後方に収納される構成が故に、転写塗膜Ｓの傷付を防ぐ。それと同時に、押圧部６０ａで転写塗膜Ｓが付着している転写テープＴが干渉しない為、転写テープＴから転写塗膜Ｓの塗膜剥離も防止している。また、転写ヘッド６０の出没時に、転写テープＴは常に弛むことがない為、転写ヘッド６０を転写具ケース１に収納する際は、転写ヘッド６０をケース開口部２の端部に収納可能である。つまり、転写ヘッド６０がケース開口部２の端部にあっても、転写テープＴが転写具ケース１の中に収納されている為、転写テープＴは保護されている。また、上記構成である為、無駄に転写ヘッド６０を転写具ケース１内に収納させる必要がなく、転写具ケース１のスリム化が図れるメリットもある。
【００１３】
また、転写ヘッド６０をケース開口部２から突出させた場合、転写ヘッド６０の下部後方に位置していた転写塗膜Ｓが、転写ヘッド６０の押圧部６０ａの突出操作によって転写具ケース１に収納されていた転写テープＴとともに転写ヘッド６０の先端部（押圧部６０ａ）まで引き出される。これは、前記に記述した転写ヘッド６０を転写具ケース１に収納すると、テープ走行経路移動変更部材６０ｂが後退し、そのテープ走行経路変更部材６０ｂを介していた転写テープＴは、テープ走行経路移動変更部材６０ｂによって引っ張られた距離と、テープ走行経路移動変更部材６０ｂとテープ走行経路固定変更部材１０ｏとの離間距離とで、転写テープＴが収納されるからであり、元々転写ヘッド６０の上部、下部に位置していた転写テープＴのみを転写具ケース１内に収納させているからである。更に言えば、転写ヘッド６０の突出動作時には、転写具ケース１内に収納させた転写テープＴのみを転写ヘッド６０の押圧部６０ａにて突出させている為、転写ヘッド６０が突出状態の際、転写塗膜Ｓは、常にその塗膜位置が転写ヘッド６０の先端にくるように構成されている。
ここで、転写テープＴが弛んでしまった場合は、細い棒状の部材（例えば、楊枝やボールペンのペン先）を半円弧状の穴１０ｐより挿入し、巻取り溝４０ｂに係合させて、繰出しコア４０を反時計周りに回転させることで、弛みが解消される。その際、その繰出コア４０と連動して巻取コア３０も回転しようとするが、巻取コア３０の逆回転が係合爪３０ｆと放射状溝２０ｋとの係合によって防止されているため、巻取コア３０の回転が阻止される。つまり、巻取コア３０の逆回転が防止されている為、巻取り溝４０ｂを回転させても、繰出コア４０のみが回転することになり、これによってテープの弛みが解消されることになる。更に言えば、転写塗膜Ｓのみが繰出コア４０に再度巻き付けられるため、転写塗膜Ｓを無駄にすることがない。
また、転写テープＴの繰出コア４０に対する巻付け径が巻取コア３０より小さいため、繰出コア４０からのテープ引出し速度よりも巻取コア３によるテープ巻取り速度が速くなり、常に巻取コア３０が繰出コア４０よりも多く転写テープＴを巻き取る働きをしている。その結果、使用済みの転写テープＴを巻取コア３０に確実に巻取ることができるようになっている。
以上、本実施例においては、同軸上に繰出コア４０と巻取コア３０を設けてなしているが、独立した軸を設けて、歯車、タイミングベルなどを利用して連動させても良い。
【００１４】
以上の構成が基本的な構成であるが、さらに具体的に説明する。前記転写具ケース１は、アクリロニトリル・スチレン共重合樹脂、アクリルニトリル・ブジタエン・スチレン共重合体、強化ポリエチレンテレフタレート、ポリカーボネート樹脂、ポリスチレン、メタクリル樹脂などの樹脂成型品となっている。また、転写具ケース１の厚さとしては、０．５ｍｍ〜２．０ｍｍの範囲が好ましい。ちなみに、２．０ｍｍを超えてしまうと、成形後にその成形品が冷えにくくなってしまい、厚みが０．５ｍｍ未満であると、強度が損なわれてしまう危険性がある。
前記転写テープＴは、基材としての合成樹脂の転写テープＴの表面に、文字修正用塗膜、装飾用着色塗膜、接着用粘着膜、蛍光塗膜等の接着性を有する転写塗膜Ｓを備えている。
その転写テープＴは、繰出コア４０に巻付けられており、繰出コア４０から繰出された転写テープＴを、前記転写ヘッド６０によって転写テープＴの裏面側から紙等の被転写面に押圧して、転写塗膜Ｓを被転写面に転写するのである。また、その転写ヘッド６０を通過した後の使用済みの転写テープＴ（基材である転写テープ）は、巻取コア３０によって巻取られる。尚、前記転写ヘッド６０には、摺動性、耐久性、柔軟性を加味し、ポリアセタール樹脂、ポリプロピレン樹脂、金属（ステンレス、真鍮、ピアノ線等）等の素材を用いるのが好ましい。
前記繰出コア４０や巻取コア３０の材質としては、摺動性、耐久性のあるポリアセタール樹脂、ポリプロピレン樹脂、ポリブチレンテレフタレート、アクリロニトリル・スチレン共重合樹脂、アクリルニトリル・ブジタエン・スチレン共重合体、強化ポリエチレンテレフタレート、ポリカーボネート樹脂、ポリスチレン、メタクリル樹脂などの樹脂材料を用いるのが好ましい。
【００１５】
（実施例２）
次に、図６、図７、図８の図面に基づき第２実施形態の塗膜転写具の構成について説明する。前記実施例１と同様な構成については、その説明を省略する。尚、図中、実施例１と同様な構成については、同一符号を付す。
転写具ケース３は転写具ケース下部１００と転写具ケース上部１１０より構成されている。転写具ケース下部１００は、３隅が円弧状の長方体の板形状を成しており、そのほぼ中央部には、回転軸１００ａが円柱形状で立設されている。
回転軸１００ａには、巻取コア３０がその回転軸１００ａに軸支されている。その前記巻取コア３０の係合爪３０ｆは、転写具ケース上部１１０の底面に形成された放射状溝１１０ｄと係脱可能に係合している。
転写具ケース下部１００の底面にあって、角のある部分には、側面側に長方体のガイドレール１００ｂが立設され、その向かいにも転写ヘッド１２０の幅程度の間隔を開け、同様のガイドレール１００ｃが立設されている。
また、ガイドレール１００ｂとガイドレール１００ｃの向かい合う壁の上部近傍には、ガイド溝１００ｄ、１００ｅが貫通穴として各々空いている。
また、転写具ケース下部１００であって、回転軸１００ａより上方でガイドレール１００ｃ側面近傍には、テープ走行経路固定変更部材１００ｆが円柱状に立設されている。
更に、ガイドレール１００ｂと１００ｃの間であって、転写具ケース後方には、テープ走行経路１００ｇが円柱形状の突起として形成されている。
また、回転軸１００ａの周りには、半円弧状の穴１００ｈが形成されている。
【００１６】
転写具ケース上部１１０は、有底の箱形状を成しており、転写具ケース下部１００と同形状の底面を有している。また、転写具ケース上部１１０には、組み付け部１１０ａ、１１０ｂが円筒形状に形成されており、転写具ケース下部１００の回転軸１００ａと嵌合可能な組み付け部１１０ａ、テープ走行経路固定変更部材１００ｇと嵌合可能な組み付け部１１０ｂとなっている。
また、転写具ケース上部１１０であって、組み付け部１１０ａの外形より大の内径を持つ逆転防止部材１１０ｃが回転軸１００ａを中心として円筒形状に形成されており、その上部には、放射上の溝１１０ｄが形成されている。
また、転写ヘッド１２０がスライド移動を行う為に、転写具ケース下部１００には、ガイドレール１００ｂ、１００ｃが配設されているが、その転写ヘッド１２０の突出動作の際に必要な穴として、転写具ケース上部１１０には、ケース開口部４が形成されている。
また、転写具ケース上部１００の天面にあって、ケース開口部４近傍より転写具ケース３の後方にかけて、長方形状の穴としてスライド溝１１０ｅが空いている。
転写ヘッド１２０は、長方体の板状を成しており、弾性変形が可能な材質を用いている。また、転写ヘッド１２０の前方端部には、断面形状がほぼ三角形状の押圧部１２０ａが形成されており、その押圧部１２０ａとは反対側の端部付近には、円柱状に突設したテープ走行経路移動変更部材１２０ｂが配設されている。また、転写ヘッド１２０の前方部の幅方向の両側部には、ほぼ三角形状を成したテープガイド１２０ｃが形成されている。
スライドボタン１３０は、円柱形状を成している。また、スライドボタン１３０の下部にあって、その中央には、円状の転写ヘッド嵌合部１３０ａが空いており、テープ走行経路移動変更部材１２０ｂの上部と嵌合可能となっている。
尚、本実施例では、転写具ケース下部１００、転写具ケース上部１１０、巻取コア３０、繰出コア４０、転写ヘッド１２０、スライドボタン１３０、転写テープＴの７つの部品で構成されている。
【００１７】
次に、本実施例の作用について図９、図１０の図面も含めて説明する。転写ヘッド１２０に対して一体に成形されているテープ走行経路移動変更部材１２０ｂとスライド部材１３０の下部に位置する転写ヘッド嵌合穴１３０ａが連結されているため、例えば、スライド部材１３０をケース開口部４に対して前後に摺動させると、転写ヘッド１２０が転写具ケース３のケース開口部４から出没する。
修正テープ転写時において、繰出コア４０より繰出された転写テープＴは、テープ走行経路１００ｇに向かって送出され、テープ走行経路１００ｇの後方の側面で折り返され、転写ヘッド１２０の下面を通過し、転写ヘッド押圧部１２０ａに向かう。また、この時に転写テープＴ側が、テープ走行経路１００ｇの側面に接触する。そして、転写ヘッド１２０の押圧部１２０ａで折り返された転写テープＴは、転写ヘッド押圧部１２０ａより、転写ヘッド１２０の上面を通過し、テープ走行経路移動変更部材１２０ｂの後方側面で転写された転写塗膜Ｓ側が接触しながら折り返され、テープ走行経路固定変更部材１００ｆへ向かう。そして、転写テープＴは、テープ走行経路固定変更部材１００ｆの前方側面で転写テープＴ側が接触しながら折り返され、巻取コア３０の巻取り部３０ｂによって巻き取られる構成となっている。
【００１８】
ここで、転写具ケース３に転写ヘッド１２０を収納する際には、スライド部材１３０をスライド溝１１０ｅに沿って転写具ケース５の後方に移動させる。この時、転写ヘッド１２０に形成されているテープ走行経路移動変更部材１２０ｂもスライド部材１３０と連動して後退し、同時に、テープ走行経路移動変更部材１２０ｂを介している転写テープＴも転写具ケース３内に収納される。
更に、その際、テープ走行経路移動変更部材１２０ｂとテープ走行経路固定変更部材１００ｇとの間にある転写テープＴもテープ走行経路移動変更部材１２０ｂの後退により離間距離が生まれるため、転写テープＴは転写具ケース３内に収納される。
また、この時、転写テープＴの収納時においても、巻取コア３０の係合爪３０ｆが放射状溝１１０ｄと係合しているため、巻取り方向とは逆に回転することが防止され、テープは巻取らない。故に、転写ヘッド１２０を転写具ケース３に収納すると、テープ走行経路移動変更部材１２０ｂが後退し、そのテープ走行経路移動変更部材１２０ｂを介していた転写テープＴは、テープ走行経路移動変更部材１２０ｂによって引っ張られた距離と、テープ走行経路移動変更部材１２０ｂとテープ走行経路固定変更部材１００ｇとの離間距離とで、転写テープＴは収納される。この引っ張り動作によって、転写ヘッド１２０の下部に位置していた転写テープＴに対して貼り付けられている転写塗膜Ｓが転写ヘッド１２０の上部に押圧部１２０ａを介して回り込む。
この構成であると、転写ヘッド１２０出没時は、転写テープＴ及び転写塗膜Ｓが転写ヘッド１２０の押圧部１２０ａで扱かれてしまう為、転写テープＴを微小に弛ませながら転写具ケース３に収納させる必要がある。この前記構成であるが故、転写テープＴに付着している転写塗膜Ｓが転写ヘッド６０ａの押圧部で扱かれて塗膜剥離をすることがない。また、塗膜転写時において、テープ走行経路固定変更部材１００ｆに既に転写が終わった転写テープＴが干渉せず、摩擦抵抗を受けることがない為、よりスムーズに転写作業を行うことができる。よって、転写ヘッド１２０の収納時におけるテープ走行経路移動変更部材１２０ｂよりも、テープ走行経路固定変更部材１００ｇの位置を転写具ケース３に対して後方に設ける事により、テープ走行経路移動変更部材１２０ｂとテープ走行経路固定変更部材１００ｇの離間距離を、実施例１の場合よりも短い距離としている。
【００１９】
上記構成が故、繰出コア４０から繰出され、走行経路部材１００ｆを介し、転写ヘッド１２０の押圧部１２０ａを介して、更にテープ走行経路移動変更部材１２０ｂとテープ走行経路固定変更部材１００ｇを介して、巻取コア３０により巻取られる転写テープＴの長さは、転写ヘッド１２０の突出操作時において弛むことなく一定である。
また、転写ヘッド１２０をケース開口部４から突出させた場合は、転写ヘッド１２０の上部に位置していた転写塗膜Ｓが、転写ヘッド１２０の押圧部１２０ａによって転写具ケース３に収納されていた転写テープＴが引っ張られて、転写ヘッド１２０の押圧部１２０ａまで復帰し、転写作業を再開させることが可能となる。
ここで、転写テープＴが弛んでしまった場合は、細い棒状の部材（例えば、楊枝やボールペンのペン先）を転写具ケース溝１００ｈより挿入し、巻取り溝４０ｂに係合させて、繰出しコア４０を反時計周りに回転させることで、弛みが解消される。その際、その繰出コア４０と連動して巻取コア３０も回転しようとするが、巻取コア３０の逆回転が係合爪３０ｆと放射状溝１１０ｄとの係合によって防止されているため、巻取コア３０の回転が阻止される。つまり、巻取コア３０の逆回転が防止されている為、巻取り溝４０ｂを回転させても、繰出しコア４０のみが回転することになり、これによってテープの弛みが解消されることになる。更に言えば、転写塗膜Ｓのみが繰出しコア４０に再度巻き付けられるため、転写塗膜Ｓを無駄にすることがない。
また、転写テープＴの繰出コア４０に対する巻付け径が巻取コア３０より小さいため、繰出コア４０からのテープ引出し速度よりも巻取コア３によるテープ巻取り速度が速くなり、常に巻取コア３０が繰出コア４０よりも多く転写テープＴを巻き取る働きをしている。その結果、使用済みの転写テープＴを巻取コア３０に確実に巻取ることができるようになっている。
以上、本実施例においては、同軸上に繰出コア４０と巻取りコア３０を設けてなしているが、独立した軸を設けて、歯車、タイミングベルなどを利用して連動させても良い。
尚、本実施例においては、実施例１のローラー５０を削減することができ、部品点数を少なくすることが可能なものとなっている。これによって、安価に生産できることは勿論、転写塗膜Ｓへの傷付をも防止することができる。その理由は、転写テープＴより繰出されたテープの転写塗膜Ｓが、転写ヘッド６０の押圧部６０ａより転写されるまでの間、他の部品に接触しないからである。
【００２０】
（実施例３）
図１１、図１２、図１３の図面に基づき第３実施形態の塗膜転写具の構成について説明する。転写具ケース５は転写具ケース上部２１０と転写具ケース下部２００より構成されている。転写具ケース下部２００は、前壁２００ａ、後壁２００ｂ、右壁２００ｃ、左壁２００ｄと底壁２００ｅを有する有底の箱形状を成している。同様に、転写具ケース上部２１０は、前壁２１０ａ、後壁２１０ｂ、右壁２１０ｃ、左壁２１０ｄと底壁２１０ｅを有する有底の箱形状を成している。
転写具ケース下部２００内の中央より後壁２００ｂ側には、突出した回転軸２００ｆが立設されており、繰出コア２２０がその回転軸２００ｆに軸支されている。前記繰出コア２２０は、転写具ケース下部２００の底壁２００ｅに近い部分に歯車２２０ａを有しており、その歯車２２０ａの上部には円筒部２２０ｂが形成されている。更に、繰出コア２２０の円筒部２２０ｂの上部には、溝２２０ｃが円周状に彫られている。また、転写具ケース下部２００内において、右壁２２０ｃ側であって、回転軸２００ｆより後壁２２０ｂ側近傍には、円柱状の走行経路部材２００ｇが立設されている。
前記繰出コア２２０の円筒部２２０ｂには、スリップ部材２３０が、摩擦抵抗を付与された状態で回転自在に軸支している。そのスリップ部材２３０は、外径の異なる２つの円筒部（大径円筒部２３０ａ、小径円筒部２３０ｂ）から構成されている。その小径円筒部２３０ｂの内径部分には円周上に突起２３０ｃが形成されており、一方、大径円筒部２３０ａの上部には、放射状に円形の巻取り溝２３０ｄが形成されている。
尚、前記小径円筒部２３０ｂの内面に形成した突起２３０ｃは、繰出コア２２０の円筒部２２０ｂに形成された溝２２０ｃに圧接した状態で嵌合されている。この圧接作用によって、スリップ部材２３０の繰出しコア２２０に対する回転方向への摩擦抵抗が付与されていると共に、お互いが組み付けられ、また、分解が防止されている。また、スリップ部材２３０には、転写テープＴが巻き付けられている。
【００２１】
また、転写具ケース下部２００の回転軸２００ｆの前壁２００ａ側には、突出した回転軸２００ｈが立設されており、その回転軸２００ｈには、前記繰出コア２２０よりも小径な巻取コア２４０が軸支されている。その巻取コア２４０は、前記繰出コア２２０と同様に、転写具ケース下部２００の底面に近い部分に歯車２４０ａを有しており、その歯車２４０ａの上部は円筒部２４０ｂが成形されている。更に、その巻取コア２４０の歯車２４０ａの平板部２４０ｃには、弾性変形が可能な係合部２４０ｄが形成されており、転写具ケース下部２００の底面に形成された放射状溝２００ｉと係脱可能に係合している。
尚、前記係合部２４０ｄは、歯車２４０ａの平板部２４０ｃに「コ」字型の溝２４０ｅを円弧状に形成することによって、円弧状の係合部２４０ｄとしており、その係合部２４０ｄの先端には係合爪２４０ｆが形成されている。その係合爪２４０ｆは、歯車２４０ａの平坂部２４０ｃの下面から突出した状態で形成されており、前記放射状溝２００ｉに係脱可能に係合している。
また、巻取コア２４０の前方には転写ヘッド２５０が配置されており、転写具ケース下部２００、転写具ケース上部２１０を嵌合した際に、転写ヘッド２５０が配設されている付近のケース下部開口部２００ｊ、ケース上部開口部２１０ｊからなる開口部６から突出が可能になっている。尚、転写ヘッド２５０は、長方体の板状の形状をしており、弾性変形が可能な材質を用いている。
また、転写ヘッド２５０の前方端部には、断面形状がほぼ三角形状の押圧部２５０ａが形成されており、その押圧部２５０ａとは反対側の端部付近であって、巻取コア２４０に近い側には円柱状に突設したテープ走行経路移動変更部材２５０ｂが配設されている。更に、転写ヘッド２５０の前方部の幅方向の両側部にはほぼ三角形状をなしたテープガイド２５０ｃが形成されている。
【００２２】
前記テープ走行経路移動変更部材２５０ｂの上端部は、前記転写具ケース上部２１０に形成されたスライド溝２１０ｇを貫き、転写具ケース上部２１０の外側に設けられたスライド部材２６０の円形の溝２６０ａに嵌合し固定されている。転写具ケース上部２１０の前記溝２１０ｇは、ケース下部開口部２００ｊ、ケース上部開口部２１０ｊとからなる開口部６から転写具ケース上部２１０の中間程度まで形成されており、長方形状の長溝となっている。尚、少なくともスライド溝２１０ｇの長さは、転写ヘッド２５０がケース開口部６より突出した状態から、収納可能な状態となる範囲で設けている。
尚、スライド部材２６０は、長方体の形状で上面の辺が角のないように丸みを帯びた形状をしており、底面の中心には前記テープ走行経路移動変更部材２５０ｂの上端部が嵌合する円形の溝２６０ａが設けられている。また、転写具ケース上部２１０にあって、巻き取り溝２３０ｄの上方には転写具ケース溝２１０ｉが、巻取り溝２３０ｄの形状に沿って形成され、円弧状の溝になっている。
また、転写具ケース下部２００には、転写具ケース５に対して転写ヘッド２５０が組み付けられ、転写ヘッド２５０が突出状態時にある時のテープ走行経路移動変更部材２５０ｂの近傍であって、左壁２００ｄ側で後壁２００ｂ側には、突出した円柱形状のテープ走行経路固定変更部材２００ｏが立設されている。
また、転写具ケース下部２００、並びに、転写具ケース上部２１０は、長方体の形状をしており、４隅が丸みを帯びた形状をしている。更に、転写具として使用する為に、転写具ケース下部２００と上部２１０を嵌合させ固定させる必要があるため、ケース下部開口部２００ｊが配設されている箇所以外の転写具ケース下部２００の内部の３隅には、ケース連結部２００ｋ、２００ｌ、２００ｍが円筒状に配設されている。
【００２３】
一方、ケース上部開口部２１０ｊが配設されている箇所以外の転写具ケース上部２１０内部の３隅には、ケース連結受部２１０ｋ、２１０ｌ、２１０ｍが円柱状に配設されており、そのケース連結受部２００ｋ、２００ｌ、２００ｍが、前記ケース連結部２１０ｋ、２１０ｌ、２１０ｍにそれぞれ連結することで、ケース上部２１０とケース下部２００が嵌合し、固定される。同様にして、転写具ケース上部２１０には、軸受け部２１０ｎが円筒形状を成して形成されており、回転軸２００ｈと嵌合される。
また、板状の移動規制部材２００ｈが転写具ケース下部２００の内側部分のスライド溝２１０ｅのケース側面に近い右壁２００ｃ側に配設されている。同様に、転写具ケース上部２１０に対しても板状の移動規制部材２１０ｈがスライド溝２１０ｅのケース側面に近い右壁２１０ｃ側に配設されている。
尚、本実施例では、転写具ケース下部２００、転写具ケース上部２１０、巻取コア２４０、繰出コア２２０、スリップ部材２３０、転写ヘッド２５０、スライド機構２６０、転写テープＴの８つの部品で構成されている。
【００２４】
次に、本実施例の作用について図１４、図１５の図面も含めて説明する。転写ヘッド２５０に対して一体に成形されているテープ走行経路移動変更部材２５０ｂとスライド部材２６０の下部に位置する凹部２６０ａが連結されているため、例えば、スライド部材２６０をケース開口部６に対して前後に摺動させると、転写ヘッド２５０が転写具ケース５のケース開口部６から出没する。
修正テープ転写時において、繰出コア２２０より繰出された転写テープＴは、走行経路部材２００ｇに向かって送出され、走行経路部材２００ｇの後壁２００ｅ側の側面で折り返され、転写ヘッド２５０の下面を通過し、転写ヘッド押圧部２５０ａに向かう。そして、転写ヘッド２５０の押圧部２５０ａで折り返された転写テープＴは、転写ヘッド押圧部２５０ａより、転写ヘッド２５０の上面を通過し、テープ走行経路移動変更部材２５０ｂの後壁２００ｂ側の側面で折り返され、テープ走行経路固定変更部材２００ｏへ向かう。そして、転写テープＴは、テープ走行経路固定変更部材２００ｏの前壁２００ａ側の側面で折り返され、巻取コア２４０の円筒部２４０ｂの側面で巻き取られる構成となっている。
ここで、転写具ケース５に転写ヘッド２５０を収納する際には、スライド部材２６０をスライド溝２１０ｇに沿って転写具ケース５の後方に移動させる。この時、転写ヘッド２５０に形成されているテープ走行経路移動変更部材２５０ｂもスライド部材２６０と連動して後退し、同時に、テープ走行経路移動変更部材２５０ｂを介している転写テープＴも転写具ケース５内に収納される。更に、その際、テープ走行経路移動変更部材２５０ｂとテープ走行経路固定変更部材２００ｏとの間にある転写テープＴもテープ走行経路移動変更部材２５０ｂの後退により離間距離が生まれるため、転写テープＴは転写具ケース１内に収納される。
また、この時、転写テープＴの収納時においても、巻取コア２４０の係合爪２４０ｆが放射状溝２００ｉと係合しているため、巻取り方向とは逆に回転することが防止され、テープは巻取らない。故に、転写ヘッド２５０を転写具ケース５に収納すると、テープ走行経路移動変更部材２５０ｂが後退し、そのテープ走行経路移動変更部材２５０ｂを介していた転写テープＴは、テープ走行経路移動変更部材２５０ｂによって引っ張られた距離と、テープ走行経路移動変更部材２５０ｂとテープ走行経路固定変更部材２００ｏとの離間距離とで、転写テープＴは収納される。
この引っ張り動作によって、転写ヘッド２５０の下部に位置していた転写テープＴに対して貼り付けられている転写塗膜Ｓが転写ヘッド２５０の上部に押圧部２５０ａに回り込む。この構成であると、転写ヘッド２５０出没時は、転写テープＴ及び転写塗膜Ｓが転写ヘッド２５０の押圧部２５０ａで扱かれてしまう為、転写テープＳを微小に弛ませながら転写具ケース５に収納させる必要がある。よって、転写ヘッド２５０の突出時には、テープ走行経路移動変更部材２５０ｂよりも、テープ走行経路固定変更部材２００ｏの位置が転写具ケース５に対して後方に形成されている。
【００２５】
上記構成が故、繰出コア２２０から繰出され、走行経路部材２００ｇを介し、転写ヘッド２５０の押圧部２５０ａを介して、更にテープ走行経路移動変更部材２５０ｂとテープ走行経路固定変更部材２００ｏを介して、巻取コア２４０により巻取られる転写テープＴの長さは、転写ヘッド２５０の突出操作時において弛むことなく一定である。
また、転写ヘッド２５０をケース開口部６から突出させた場合は、転写ヘッド２５０の上部に位置していた転写塗膜Ｓが、転写ヘッド２５０の押圧部２５０ａによって転写具ケース５に収納されていた転写テープＴが引っ張られて、転写ヘッド２５０の押圧部２５０ａまで復帰し、転写作業を再開させることが可能となる。
ここで、転写テープＴが弛んでしまった場合は、細い棒状の部材（例えば、楊枝やボールペンのペン先）を転写具ケース溝２１０ｉより挿入し、巻取り溝２３０ｄに係合させて、スリップ部材２３０を時計周りに回転させることで、弛みが解消される。その際、繰出コア２２０や、その繰出コア２２０と噛み合う巻取コア２４０も回転しようとするが、巻取コア２４０の逆回転が係止爪２４０ｆと放射状溝２００ｉとの係合によって防止されているため、巻取コア２４０並びに繰出コア２２０の回転が阻止される。つまり、巻取コア２４０の逆回転が防止されている為、巻取り溝２３０ｄを回転させても、スリップ部材２３０のみが回転することになり、これによってテープの弛みが解消されるとともに、転写塗膜Ｓのみが繰出しコア２２０に再度巻き付けられるため、転写塗膜Ｓを無駄にすることがない。
また、転写テープＴの繰出コア２２０に対する巻付け径が巻取コア２４０より大きい時でも、繰出コア２２０からのテープ引出し速度よりも巻取コア２４０によるテープ巻取り速度が速くなるように、繰出コア２２０の歯車外径が、転写テープＴの繰出コア２２０に対する巻付け径よりも大きくしているため、常に巻取コア２４０が繰出コア２２０よりも多く転写テープＴを巻き取る働きをしている。その結果、使用済みの転写テープＴを巻取コア２４０に確実に巻取ることができるようになっている。
以上、本実施例においては、繰り出しコアと巻き取りコアの連動をギアによってなしているが、タイミングベルトなどを利用して連動させても良い。
尚、本実施例においては、第１実施例及び第２実施例と異なり、巻取コア及び繰出コアが同軸上に配設されていない構成となっている為、転写具ケースの厚み方向における幅を少なくすることができ、スリム化が図れる。
【００２６】
（実施例４）
図１６〜図２０の図面に基づき第４実施形態の塗膜転写具の構成について説明する。転写具ケース６１０は転写具ケース上部６０２と転写具ケース下部６０１より構成されている。転写具ケース下部６０１内の中央より後方には、突出した回転軸６０１ｄが立設されており、繰出コア６０４がその回転軸６０１ｄに軸支されている。前記繰出コア６０４は、下部、即ち、転写具ケース下部６０１の底面に近い部分に歯車６０４ｂを有しており、その歯車６０４ｂの上部には円筒部６０４ｃが成形されている。更に、繰出コア６０４の円筒部６０４ｃの上部には、溝６０４ａが円周状に彫られている。また、転写具ケース下部６０１において、前記回転軸６０１ｄの上方の転写具ケース下部６０１の内壁に近い箇所には円柱状の走行経路部材６０１ｉが立設されている。
前記繰出コア６０４の円筒部６０４ｃには、スリップ部材６０５が、摩擦抵抗を付与された状態で回転自在に軸支している。そのスリップ部材６０５は、外径の異なる２つの円筒部（大径円筒部６０５ｃ、小径円筒部６０５ｄ）から構成されている。その小径円筒部６０５ｄの内径部分には円周上に突起６０５ｂが形成されており、一方、大径円筒部６０５ｃの上部には、放射状に円形の巻取り溝６０５ａが形成されている。尚、前記小径円筒部６０５ｄの内面に形成した突起６０５ｂは、繰出コア６０４の円筒部６０４ｃに形成された溝６０４ａに圧接した状態で嵌合されている。この圧接作用によって、スリップ部材６０５の繰り出しコア６０４に対する回転方向への摩擦抵抗が付与されていると共に、お互いが組み付けられ、また、分解が防止されている。また、スリップ部材６０５には、転写テープＴが巻き付けられている。
また、転写具ケース下部６０１の回転軸６０１ｄの前方には、突出した回転軸６０１ｅが立設されており、その回転軸６０１ｅには、前記繰出コア６０４よりも小径な巻取コア６０３が軸支されている。その巻取コア６０３は、前記繰出コア６０４と同様に、転写具ケース下部６０１の底面に近い部分に歯車６０３ｂを有しており、その歯車６０３ｂの上部は円筒部６０３ｃが成形されている。更に、その巻取コア６０３の歯車６０３ｂの平板部６０３ｄには、弾性変形が可能な係合部６０３ａが形成されており、転写具ケース下部６０１の底面に形成された放射状溝６０１ｃと係脱可能に係合している。尚、前記係合部６０３ａは、歯車６０３ｂの平板部６０３ｄに「コ」字型の溝６０３ｅを円弧状に形成することによって、円弧状の係合部６０３ａとしており、その係合部６０３ａの先端には係合爪６０３ｆが形成されている。その係合爪６０３ｆは、歯車６０３ｂの平坂部６０３ｄの下面から突出した状態で形成されており、前記放射状溝６０１ｃに係脱可能に係合している。
また、巻取コア６０３の前方には転写ヘッド６０６が配置されており、転写具ケース下部６０１、上部６０２を嵌合した際に、転写ヘッド６０６が配設されている付近のケース口６０１ａ、６０２ａからなる開口部６２０から突出が可能になっている。尚、転写ヘッド６０６は、長方体の板状の形状をしており、弾性変形が可能な材質を用いている。また、転写ヘッド６０６の前方端部には、断面形状がほぼ三角形状の押圧部６０６ｃが形成されており、その押圧部６０６ｃとは反対側の端部付近であって、巻取コア６０３に近い側には円柱状に突設した走行経路変更部材６０６ｂが配設されている。更に、転写ヘッド６０６の前方部の幅方向の両側部にはほぼ三角形状をなしたテープガイド６０６ａが形成されている。
【００２７】
前記走行経路変更部材６０６ｂの上端部は、前記転写具ケース上部６０２に形成されたスライド溝６０２ｃを貫き、転写具ケース上部６０２の外側に設けられたスライド部材６０７の円形の溝６０７ａに嵌合し固定されている。転写具ケース上部６０２の前記溝６０２ｃは、ケース口６０１ａ、６０２ａとからなる開口部６２０から転写具ケース上部６０２の中間程度まで形成されており、長方形状の長溝となっている。尚、少なくともスライド溝６０２ｃの長さは、転写ヘッド６０６がケース開口部６２０より突出した状態から、収納可能な状態となる範囲で設けている。尚、スライド部材６０７は、長方体の形状で上面の辺が角のないように丸みを帯びた形状をしており、底面の中心には前記走行経路変更部材６０６ｂの上端部が嵌合する円形の溝６０７ａが設けられている。また、転写具ケース上部６０２にあって、巻き取り溝６０５ａの上方には転写具ケース溝６０２ｄが、巻取り溝６０５ａの形状に沿って形成され、円弧状の溝になっている。
また、転写具ケース下部６０１、並びに、転写具ケース上部６０２は、長方体の形状をしており、４隅が丸みを帯びた形状をしている。更に、転写具として使用する為に、転写具ケース下部６０１と上部６０２を嵌合させ固定させる必要があるため、ケース口６０１ａが配設されている箇所以外の転写具ケース下部６０１の内部の３隅には、ケース連結部６０１ｆ、６０１ｇ、６０１ｈが円筒状に配設されている。一方、ケース口６０２ａが配設されている箇所以外の転写具ケース上部６０１内部の３隅には、ケース連結受部６０２ｆ、６０２ｇ、６０２ｈが円柱上に配設されており、そのケース連結受部６０２ｆ、６０２ｇ、６０２ｈが、前記ケース連結部６０１ｆ、６０１ｇ、６０１ｈにそれぞれ連結することで、ケース上部６０２とケース下部６０１が嵌合し、固定される。
また、板状の移動規制部材６０１ｂが転写具ケース下部６０１の内側部分のスライド溝６０２ｃのケース側面に近い壁側に配設されている。同様に、転写具ケース上部６０２に対しても板状の移動規制部材６０２ｂがスライド溝６０２ｃのケース側面に近い壁側に配設されている。
尚、本実施例では、転写具ケース下部６０１、転写具ケース上部６０２、巻取コア６０３、繰出コア６０４、スリップ部材６０５、転写ヘッド６０６、スライド機構６０７、転写テープＴの８つの部品で構成されている。
【００２８】
次に、本実施例の作用について説明する。転写ヘッド６０６に対して一体に成形されている走行経路変更部材６０６ｂとスライド部材６０７の下部に位置する凹部６０７ａが連結されているため、例えば、スライド部材６０７をケース開口部６２０に対して前後に摺動させると、転写ヘッド６０６が転写具ケース６１０のケース開口部６２０から出没する。
次に、図４の図面を用いて説明する。修正テープ転写時において、転写テープＴは、繰出コア６０４から繰出され、走行経路部材６０１ｉを介し、転写ヘッド６０６の押圧部６０６ｃを巻回し、更に走行経路変更部材６０６ｂを介して、巻取コア６０３により巻取られる構成となっている。
ここで、転写具ケース６１０に転写ヘッド６０６を収納する際には、スライド部材６０７をスライド溝６０２ｃに沿って転写具ケース６１０の後方に移動させる。この時、転写ヘッド６０６に形成されている走行経路変更部材６０６ｂもスライド部材６０７と連動して後退し、同時に、走行経路変更部材６０６ｂを介している転写テープＴも転写具ケース６１０内に収納される。この時、転写テープＴの収納時においても、巻取コア６０３の係合部６０３ａが放射状溝６０１ｃと係合しているため、巻取り方向とは逆に回転することが防止され、テープは巻取らない。故に、図１９に示すように、転写ヘッド６０６を転写具ケース６１０に収納すると、走行経路変更部材６０６ｄが後退し、その走行経路変更部材６０６ｄを介していた転写テープＴも走行経路変更部材６０６ｄによって引っ張られて収納される。この引っ張り動作によって、転写ヘッド６０６の下部に位置していた転写テープＴに対して貼り付けられている転写塗膜Ｓが転写ヘッド６０６の上部に回り込む。上記構成が故、繰出コア６０４から繰出され、転写ヘッド６０６を介し、更に走行経路変更部材６０６ｂを介して、巻取コア６０３により巻取られる転写テープＴの長さは、転写ヘッド６０６の没入操作時においても弛むことなく一定である。
【００２９】
また、転写ヘッド６０６を開口部６２０から突出させた場合は、転写ヘッド６０６の上部に位置していた転写塗膜Ｓが、転写ヘッド６０６の押圧部６０６ｃによって転写具ケース６１０に収納されていた転写テープＴが引っ張られて、転写ヘッド６０６の下部に復帰し、転写作業を再開させることが可能となる。（図２０参照）
ここで、転写テープＴが弛んでしまった場合は、細い棒状の部材（例えば、楊枝やボールペンのペン先）を転写具ケース溝６０２ｄより挿入し、巻取り溝６０５ａに係合させて、スリップ部材６０５を時計周りに回転させることで、弛みが解消される。その際、繰出コア６０４や、その繰出コア６０４と噛み合う巻取コア６０３も回転しようとするが、巻取コア６０３の逆回転が係合部６０３ａと放射状溝６０１ｃとの係合によって防止されているため、巻取コア６０３並びに繰出コア６０４の回転が阻止される。つまり、巻取コア６０３の逆回転が防止されている為、巻取り溝６０５ａを回転させても、スリップ部材６０５のみが回転することになり、これによってテープの弛みが解消されることになる。
また、転写テープＴの繰出コア６０４に対する巻付け径が巻取コア６０３より大きい時でも、繰出コア６０４からのテープ引出し速度よりも巻取コア６０３によるテープ巻取り速度が速くなるように、繰出コア６０４の歯車外径が、転写テープＴの繰出コア６０４に対する巻付け径よりも大きくしているため、常に巻取コア６０３が繰出コア６０４よりも多く転写テープＴを巻き取る働きをしている。その結果、使用済みの転写テープＴを巻取コア６０３に確実に巻取ることができるようになっている。
以上、本実施例においては、繰り出しコアと巻き取りコアの連動をギアによってなしているが、タイミングベルトなどを利用して連動させても良い。
【００３０】
以上の構成が基本的な構成であるが、さらに具体的に説明する。前記転写具ケース６１０は、アクリロニトリル・スチレン共重合樹脂、アクリルニトリル・ブジタエン・スチレン共重合体、強化ポリエチレンテレフタレート、ポリカーボネート樹脂、ポリスチレン、メタクリル樹脂などの樹脂成型品となっている。また、転写具ケース６１０の厚さとしては、０．５ｍｍ〜２．０ｍｍの範囲が好ましい。ちなみに、２．０ｍｍを超えてしまうと、成形後にその成形品が冷えにくくなってしまい、厚みが０．５ｍｍ未満であると、強度が損なわれてしまう危険性がある。
前記転写テープＴは、基材としての合成樹脂の転写テープＴの表面に、文字修正用塗膜、装飾用着色塗膜、接着用粘着膜、蛍光塗膜等の接着性を有する転写塗膜Ｓを備えている。
その転写テープＴはスリップ部材６０５に巻付けられており、繰出コア６０４から繰出された転写テープＴを、前記転写ヘッド６０６によって転写テープＴの裏面側から紙等の被転写面に押圧して、転写塗膜Ｓを被転写面に転写するのである。また、その転写ヘッド６０６を通過した後の使用済みの転写テープＴ（基材である転写テープ）は、巻取コア６０３によって巻取られる。尚、前記転写ヘッド６０６には、摺動性、耐久性、柔軟性を加味し、ポリアセタール樹脂、ポリプロピレン樹脂、金属（ステンレス、真鍮、ピアノ線等）等の素材を用いるのが好ましい。
前記繰出コア６０４や巻取コア６０３の材質としては、それらを歯車機構によって連結し回転を伝達するのであるならば、摺動性、耐久性のあるポリアセタール樹脂、ポリプロピレン樹脂、ポリブチレンテレフタレート、アクリロニトリル・スチレン共重合樹脂、アクリルニトリル・ブジタエン・スチレン共重合体、強化ポリエチレンテレフタレート、ポリカーボネート樹脂、ポリスチレン、メタクリル樹脂などの樹脂材料を用いるのが好ましい。
【００３１】
（実施例５）
次に、図２１〜図２６の図面に基づき第５実施形態の塗膜転写具の構成について説明する。前記実施例４と同様な構成については、その説明を省略する。尚、図中、実施例４と同様な構成については、同一符号を付す。
転写具ケース下部６０１において、回転軸６０１ｄの下方の転写具ケース下部６０１の内壁に近い箇所には走行経路部材６０１ｉが円柱状に立設されている。
転写ヘッド６１６は、長方体の板部６１６ｉを有してしており、その両端には筒状の円筒部６１６ｇ、６１６ｈが一体的に形成されており、その円筒部６１６ｇ、６１６ｈの中心には、それぞれ貫通穴６０６ｂ、６０６ｃが設けられている。更に、その貫通穴６１６ｃが形成されている円筒部６１６ｈには、板状の走行経路変更部材６１６ｅが「く」字型に連結された状態で形成されている。貫通穴６１６ｂ、６１６ｃの間の板部６１６ｉの中央部分には、ヒンジ状の可動部６１６ａが設けられており、その可動部６１６ａを中心に板部６１６ｉが屈曲し、また拡開する。又、可動部６１６ａと貫通穴６１６ｂ間、並びに、可動部６１６ａと貫通穴６１６ｃ間には、長方形の貫通穴６１６ｄが各々形成されている。又、前記走行経路変更部材６１６ｅにも、長方形の貫通穴６１６ｆが形成されている。
転写具ケース下部６０１のケース内部の連結部６０１ｆの上部にあって開口部６２０の下端部付近には、円柱状に立設されたヘッド固定部６０１ｊが配設され、転写ヘッド６１６の貫通穴６１６ｂが回転自在に軸支されている。また、前記転写ヘッド６１６の貫通穴６１６ｃは、円柱形状をなしたヘッド軸６１８に枢着しており、そのヘッド軸６１８に対して回転となっている。
転写具ケース下部６０１の内部のケース口６０１ａの後方であって、巻取コア６０３の前方には、転写具ケース６１０の幅方向に対して長方形の溝であるヘッド軸受溝６０１ｋが形成されている。また、転写具ケース上部６０２に対しても、同様の位置に貫通穴として、スライド溝６０２ｋが形成されている。
実施例４と同様にスライド部材６１７が設けられているが、そのスライド部材６１７の円形の溝６１７ａがヘッド軸６１８の上部に嵌合・固定している。具体的に説明すると、そのヘッド軸６１８の上端部は、前記転写具ケース上部６０２に形成されたスライド溝６０２ｋを貫き、転写具ケース上部６０２の外側に設けられたスライド部材６１７の円形の溝６１７ａに嵌合し固定されている。
尚、本実施例では、転写具ケース下部６０１、転写具ケース上部６０２、巻取コア６０３、繰出コア６０４、スリップ部材６０５、転写ヘッド６１６、スライド部材６１７、ヘッド軸６１８、転写テープＴの９つの部品で構成されている。
【００３２】
次に、本実施例の作用について説明する。転写ヘッド６１６に対して一体に成形してある走行経路変更部材６１６ｅとスライド機構６１７の下部に位置する溝６１７ａが連結されているため、スライド機構６１７を、転写具ケース６１０の幅方向、即ち、上下の方向に摺動させると、転写ヘッド６１６は屈曲・拡開動作をしながら、転写具ケース６１０より出没可能となる。ちなみに、転写ヘッド６１６が転写具ケース６１０に収納された時、転写ヘッド６１６は、貫通穴６１６ｂと可動部６１６ａ、並びに、貫通穴６１６ｃの３つの部分が同一直線状に配置された状態となる。一方、転写ヘッド６１６が転写具ケース６１０より突出した状態の場合は、貫通穴６１６ｂと可動部６１６ａ、並びに、貫通穴６１６ｃの３つの部分が、三角形の頂点になると共に、前記可動部６１６ａが実施例４に相当する押圧部となる。
次に、図２３、図２４を基に説明する。修正テープ転写時において、転写テープＴは、繰出コア６０４から繰出され、走行経路部材６０１ｉを介し、転写ヘッド６１６の貫通穴６１６ｂに近い貫通穴６１６ｄを通り、可動部６１６ａを巻回し、貫通穴６１６ｃに近い貫通穴６１６ｄを通り、走行経路変更部材６１６ｅの貫通穴６１６ｆを通り、巻取コア６０３により巻取られる構成となっている。この際、転写テープＴは、貫通孔６１６ｆのほぼ中央部を貫通しており、即ち、貫通孔６１６ｆの縁部へ接触は無く、良好に繰り出せるものとなっている。
【００３３】
ここで、転写具ケース６１０に転写ヘッド６１６を収納する際には、スライド機構６１７をスライド溝６０２ｋに沿って転写具ケース６１０の幅方向である上方に移動させる。この時、走行経路変更部材６１６ｅもスライド機構６１７と連動して動作し、同時に、貫通穴６１６ｆを通る転写テープＴが走行経路変更部材６１６ｅの下端部を介して上方に引っ張られるようになり、転写テープＴも転写具ケース６１０内に収納される。尚、転写テープＴの収納時においても、巻取コア６０３は、放射状溝６０１ｃと係合部６０３ａにより、巻取り方向とは逆に回転することが防止されているため、テープは巻取らない。故に、図２３に示すように、転写ヘッド６１６を転写具ケース６１０に収納すると、走行経路変更部材６１６ｅが上方に回転し、走行経路変更部材６１６ｅを介していた転写テープＴも走行経路変更部材６１６ｅによって引っ張られて収納される。上記構成が故、繰出コア６０４から繰出され、巻取コア６０３により巻取られるまでの転写テープＴの長さは、転写ヘッド６１６の没入操作時においても弛むことなく一定である。
また、転写ヘッド６１６を開口部６２０から突出させた場合は、転写ヘッド６１６を介した転写テープＴが、転写ヘッド６１６の可動部６１６ａによって引っ張り出され、収納前の転写可能な状態に復帰し、転写作業を再開させることができる（図２４参照）。
転写テープＴが弛んでしまった場合は、実施例４と同様の手段で転写テープＴを巻き取ることで弛みが解消される。
【００３４】
（実施例６）
次に、図２７〜図３１の図面に基づき第６実施形態の塗膜転写具の構成について説明する。前記実施例１と同様な構成については、その説明を省略する。尚、図中、実施例１と同様な構成については、同一符号を付す。
転写具ケース７ａは転写具ケース下部３１０と転写具ケース上部３２０より構成されており、その転写具ケース下部３１０は、前壁３１０ａ、後壁３１０ｂ、右壁３１０ｃ、左壁３１０ｄと底壁３１０ｅを有する有底の箱形状を成している。また、転写具ケース下部３１０内の中央部には、突出した回転軸３１０ｆが立設されており、その回転軸３１０ｆには、巻取コア３０が回転自在に軸支されている。
その巻取コア３０には、係合爪３０ｆが形成されており、係合爪３０ｆは前記転写具ケース上部３２０の底面より形成された放射状溝３２０ｋと係脱可能に係合している。また、前記実施例１と同様に、繰出コア４０の内側は、スリップ部３０ａの側面に圧接された状態で嵌合されている。これにより、繰出コア４０は摩擦抵抗を付与された状態で回転自在に軸支され、繰出コア４０のスリップ部３０ａに対する回転方向への摩擦抵抗が付与されると共に、お互いが組み付けられ、また、分解が防止されている。尚、その繰出コア４０には、転写テープＴが巻き付けられている。
【００３５】
また、前記転写具ケース下部３１０の底壁３１０ｅにあって、左壁３１０ｄ側の前壁３１０ａ近傍部に円柱状の組み付け部３１０ｇが、そして、後壁３１０ｂの近傍部にも円柱状の組み付け部３１０ｈが形成されている。また、前記前壁３１０ａにあって、右壁３１０ｃの近傍には、ケース下部開口部３１０ｋが長方形状の貫通穴として空いている。そのケース下部開口部３１０ｋの右壁３１０ｃ近傍の側面と反対の側面には、並行な２列の壁が、前記転写具ケース下部３１０の右壁３１０ｃに沿って後壁３１０ｂ付近まで形成されており、その２列の壁がガイドレール３１０ｌ、並びに、ガイドレール３１０ｍとなっているが、一方のガイドレール３１０ｍは、中央部までしか形成されていない。そのガイドレール３１０ｌ、３１０ｍの向かい合う壁の上部近傍には、ガイド溝３１０ｎ、３１０ｏが貫通穴として各々形成されている。
また、前記転写具ケース下部３１０の底壁３１０ｅであって、回転軸３１０ｆより右壁３１０ｃ側方向で、ガイドレール３１０ｍの外側近傍には、テープ走行経路固定変更部材３１０ｐが円柱状に立設されている。そして、前記底壁３１０ｅであって、後壁３１０ｂ側の右壁３１０ｃ近傍には、円柱形状をしたバネ設置部下部３１０ｉが形成されている。そのバネ設置部下部３１０ｉの上面には、そのバネ設置部下部３１０ｉの外径よりも小なバネ設置部上部３１０ｊが円柱状に立設されている。さらに、前記テープ走行経路固定変更部材３１０ｐには、そのテープ走行経路固定変更部材３１０ｐの外形より大きな内径を有する円筒形状をなしたローラー３５０が回転自在に軸支されている。
【００３６】
一方、転写具ケース上部３２０は、前壁３２０ａ、後壁３２０ｂ、右壁３２０ｃ、左壁３２０ｄと底壁３２０ｅを有する有底の箱形状を成しており、転写具ケース下部３１０と同形状の底面を有している。また、その転写具ケース上部３２０の底壁３２０ｅには、円筒形状の組み付け部３２０ｇ、３２０ｈが形成されており、転写具ケース下部３１０の組み付け部３１０ｇ、３１０ｈと嵌合し組み付けられる。
同様に、組み付け部３２０ｆと組み付け部３２０ｉも円筒形状を成しており、回転軸３１０ｆと嵌合可能な組み付け部３２０ｆ、テープ走行経路固定変更部材３１０ｐと嵌合可能な組み付け部３２０ｉとなっており、それぞれ組み付けられる。また、転写具ケース上部３２０であって、組み付け部３２０ｆの外形より大の内径を有する円筒形状の逆転防止部材３２０ｌが回転軸３１０ｆを中心として形成されており、その逆転防止部材３２０ｌの上端部には、放射状の溝３２０ｋが形成されている。尚、転写具ケース上部３２０には、転写具ケース下部３１０と同様の個所に、ケース上部開口部３２０ｊが形成されており、前記ケース下部開口部３１０ｋと合致することによって、ケース開口部７ｂが形成される。
また、転写具ケース上部３２０の天面にあって、ケース開口部３２０ｊ近傍、右壁３２０ｃの近傍には、ガイド溝３２０ｍが長方形状の溝として後壁３２０ｂ近傍まで形成されている。そのガイド溝３２０ｍには、転写ヘッドガイド穴３２０ｎが前壁３２０ａ近傍から後方に向けて形成されているが、その転写ヘッドガイド穴３２０ｎは、ガイド溝３２０ｍよりも小幅であって、長方形状をなしている。
そのガイド溝３２０ｍ内にあって、転写ヘッドガイド穴３２０ｎの後方には、長方形状のボタンガイド穴３２０ｏがガイド溝３２０ｍのほぼ中央部に形成されている。また、そのガイド溝３２０ｍ内にあって、ボタンガイド溝３２０ｏより後壁３２０ｂ側には、コの字型のヒンジ溝３２０ｐが、左壁３２０ｄに開口した状態で転写具ケース上部３２０の中央部付近まで形成されている。そのヒンジ溝３２０ｐの溝間には、円柱状の突起である解除ボタン部３２０ｑが形成されている。尚、転写具ケース上部３２０には、スライドボタン係止部３２０ｒが、解除ボタン部３２０ｑより右壁３２０ｃ側であってヒンジ溝３２０ｐで囲まれたボタンガイド溝３２０ｏ近傍に長方形状を成して突設されている。
【００３７】
転写ヘッド３６０は、長方体の板状を成しており、弾性変形が可能な材質を用いている。また、その転写ヘッド３６０の前方端部には、断面形状がほぼ三角形状の押圧部３６０ａが形成されており、その押圧部３６０ａとは反対側の端部付近には、円柱状に突設したテープ走行経路移動変更部材３６０ｂと、バネ設置部３６０ｈが配設されている。尚、そのバネ設置部３６０ｈは、テープ走行経路移動変更部材３６０ｂよりも、転写ヘッド３６０の後方端部に配設されている。
更に、テープ走行経路移動変更部材３６０ｂが配設されている面とは反対側であって、転写ヘッド３６０のほぼ中央部であり、かつ、転写ヘッド３６０の両側面のほぼ端部には、長方体形状のスライド突起３６０ｃ、３６０ｄが立設されている。そのスライド突起３６０ｃ、３６０ｄの上端部の内側には、ほぼ三角形状を成した係止突起３６０ｅ、３６０ｆが形成されている。また、転写ヘッド３６０の前方部の幅方向の両側部には、ほぼ三角形状を成したテープガイド３６０ｇが形成されている。ちなみに、転写ヘッド３６０の板厚は、ガイド溝３１０ｎ、３１０ｏよりも薄く、その幅は、ガイド溝３１０ｎと３１０ｏとで挟まれた幅よりも小さいものとなっており、ガイド溝３１０ｎ、３１０ｏ内で摺動し得るものとなっている。
尚、転写ヘッド３６０と転写具ケース上部３２０と転写具ケース下部３１０とが組み付けられた際、転写ヘッド３６０のスライド突起３６０ｃ、３６０ｄは、転写具ケース上部３２０の転写ヘッドガイド穴３２０ｎより突出された状態となる。転写ヘッド３６０と接続されるスライドボタン３７０は、転写ヘッド３６０と同様に、長方体の板状を成しており、弾性変形が可能な材質を用いている。
【００３８】
そのスライドボタン３７０の前方端部には、長方体形状の突起であるボタンスライド部３７０ａが形成され、そのボタンスライド部３７０ａには、長方形状の穴である転写ヘッド嵌合穴３７０ｂが形成されていると共に、転写ヘッド嵌合穴３７０ｂより挿入される転写ヘッド３６０の係止突起３６０ｅ、３６０ｆと、転写具ケース上部３２０のガイド溝３２０ｍとで係止可能となっている。また、スライドボタン３７０のほぼ中央部にあって、ボタンスライド部３７０ａが形成されている側には、長方体状のケーススライド部３７０ｃが突設されており、そのケーススライド部３７０ｃの上部には、ケーススライド部３７０ｃの上面より大きな長方体の突起であるスライド係止部３７０ｄが形成されている。
また、スライドボタン３７０の後方端部には、弾性反発部３７０ｅがほぼ三角形状を成した突起として形成されていると共に、スライドボタン３７０のケーススライド部３７０ｃとは反対側の面には、ボタン滑り止め部３７０ｆがほぼ三角形状を成した複数の突起として形成され、中央部から端部にかけて形成されている。
転写ヘッド３６０には、引張コイルばね３８０が係止しており、その引張コイルばね３８０の両端部には、フック３８０ａとフック３８０ｂを有している。そのフック３８０ａは、前記転写ヘッド３６０のバネ設置部３６０ｈと嵌合し、フック３８０ｂは転写具ケース下部３１０のバネ設置部上部３１０ｊに嵌合されるように設計されている。
尚、本実施例では、転写具ケース下部３１０、転写具ケース上部３２０、巻取コア３０、繰出コア４０、ローラー３５０、転写ヘッド３６０、スライドボタン３７０、引張コイルばね３８０、転写テープＴの９つの部品で構成されている。
【００３９】
次に、本実施例の作用について図３０、図３１を基に説明する。スライドボタン３７０は、転写ヘッド嵌合穴３７０ｂより挿入される転写ヘッド３６０の係止突起３６０ｅ、３６０ｆと、転写具ケース上部３２０のガイド溝３２０ｍとで係止されているため、例えば、スライドボタン３７０をケース開口部７ｂに対して前後に摺動させると、転写ヘッド３６０が転写具ケース７ａのケース開口部７ｂから突出・没入する。
転写ヘッド３６０を突出する際は、スライドボタン３７０をケース開口部７ｂに向けてスライド操作するが、転写ヘッド３６０の突出状態を保つ為、スライドボタン３７０の弾性反発部３７０ｅが転写具ケース上部３２０のスライドボタン係止部３２０ｒに係合するようになっている。尚、転写ヘッド３６０が転写具ケース７ａに収納されている際には、組み付けられている引張コイルばね３８０は通常の状態を保っているが、転写ヘッド３６０の突出に伴ってバネ設置部３６０ｈもケース開口部７ａに向けて突出される為、引張コイルばね３８０はバネ設置部上部３１０ｊとバネ設置部３６０ｈとで引っ張られた状態となる。
ここで、転写ヘッド３６０を転写具ケース７ａ内に収納させる際は、弾性反発部３７０ｅとスライドボタン係止部３２０ｒの係止を解除することで、転写ヘッド３６０の突出の際に引っ張られた引張コイルばね３８０が元に戻ろうとする力を利用して転写ヘッド３６０を転写具ケース７ａに収納させる。その係止を解除する操作としては、解除ボタン部３２０ｑを転写具ケース下部３１０側に押し込むことによって、コの字型の溝であるヒンジ溝３２０ｐの両端部を起点として撓ませ、それに連動してスライドボタン係止部３２０ｒも転写具ケース下部３１０側に押し込まれる為、前記の係止が解除され、転写ヘッド３６０が転写具ケース７ａ内に収納される。
上記構成が故、転写ヘッド３６０突出時には、スライド操作で行うが、転写ヘッド３６０収納時には解除ボタン部３２０ｑを押すだけのワンタッチ操作で転写ヘッド３６０を収納可能とする為、非常に簡便な操作で使用可能となっている。
さらに、転写ヘッド３６０を突出させる際は、スライド操作で行う為、仮に筆箱等の容器に入れて塗膜転写具を収納させていた場合であっても不用意に転写ヘッド３６０が突出する心配がなく、転写ヘッド３６０や、塗膜Ｓの傷付きを防止することが可能となっている。
【００４０】
修正テープ転写時において、繰出コア４０より繰出された転写テープＴは、テープ走行経路固定変更部材３１０ｐに向かって送出され、ローラー３５０の前壁３１０ａ側の側面で折り返され、転写ヘッド３６０のテープ走行経路移動変更部材３６０ｂに向かう。また、この時に転写テープＴの転写塗膜Ｓ側が、ローラー３５０の側面に接触する。そして、ローラー３５０がテープ走行経路固定変更部材３１０ｐに回転自在に軸支されていることにより、転写テープＴはスムーズに送り出されることになり、更に、転写塗膜Ｓ側が接触しても、塗膜面への傷付が防止される。そして、そのテープ走行経路移動変更部材３６０ｂの後壁３１０ｂ側の側面で転写テープＴ側は接触しながら折り返され、転写ヘッド３６０の下面を通過し、転写ヘッド押圧部３６０ａで転写テープＴ側が接触しながら折り返される。その折り返された転写テープＴは、転写ヘッド押圧部３６０ａより、転写ヘッド３６０の上面を通過し、スライド突起３６０ｃ、３６０ｄ間を通過しながらローラー３５０の上部へと向かう。そして、ローラー３５０上部の右壁３１０ｃ側であって、後壁３１０ｂ側の側面で折り返された転写テープＴは、巻取コア３０の巻取り部３０ｂによって巻き取られる構成となっている。また、この後壁３１０ｂ側の側面で折り返されて接触するテープの面は、転写テープＴ側であっても、転写塗膜Ｓ側であっても良いが、塗膜への傷付がない転写テープＴ側が望ましい。
【００４１】
ここで、転写具ケース７ａに転写ヘッド３６０を収納させる際には、解除ボタン部３２０ｑを転写具ケース下部３１０側へと押し込み、スライドボタン３７０をガイド溝３２０ｍに沿って転写具ケース７ａの後方へ移動させる。この時、転写ヘッド３６０に形成されているテープ走行経路移動変更部材３６０ｂもスライドボタン３７０と連動して後退し、同時に、テープ走行経路移動変更部材３６０ｂを介している転写テープＴは転写具ケース７ａ内に収納される。更に、その際、テープ走行経路移動変更部材３６０ｂとテープ走行経路固定変更部材３１０ｐとの間にある転写テープＴもテープ走行経路移動変更部材３６０ｂの後退により離間距離が生まれるため、転写テープＴは転写具ケース７ａ内に収納される。また、この時、転写テープＴの収納時においても、巻取コア３０の係合部３０ｄが、放射状溝３２０ｋと係合しているため、巻取り方向とは逆に回転することが防止され、転写テープＴは巻取らない。
故に、転写ヘッド３６０を転写具ケース７ａに収納すると、テープ走行経路移動変更部材３６０ｂが後退し、そのテープ走行経路変更部材３６０ｂを介していた転写テープＴは、テープ走行経路移動変更部材３６０ｂによって引っ張られた距離と、テープ走行経路移動変更部材３６０ｂとテープ走行経路固定変更部材３１０ｐとの離間距離とで引っ張られ、転写テープＴは収納される。即ち、テープ走行経路変更部材３６０ｂの移動距離に対して、転写テープＴはほぼ２倍の距離を移動し収納されることになる。
【００４２】
この引っ張り動作によって、転写ヘッド３６０の下部に位置していた転写テープＴに対して貼り付けられている転写塗膜Ｓが転写ヘッド３６０の後方に収納される。この構成が故、繰出コア４０から繰出され、テープ走行経路固定変更部材３１０ｐを軸とするローラー３５０を介し、テープ走行経路移動変更部材３６０ｂを介して、転写ヘッド３６０の押圧部３６０ａで折り返され、スライド突起３６０ｃ、３６０ｄ間を通り、ローラー３５０上部を介して、巻取コア３０の巻取り部３０ｂにより巻き取られる転写テープＴの長さは、転写ヘッド３６０の没入操作時においても弛むことなく一定である。
尚、転写テープＴは、出没動作時において常に弛むことのない状態であり、前記に記述した転写ヘッド３６０の収納時に転写ヘッド３６０の下部に位置していた転写テープＴに対して貼り付けられている転写塗膜Ｓが転写ヘッド３６０の後方に収納される構成が故に、転写塗膜Ｓの傷付を防ぐ。それと同時に、押圧部３６０ａで転写塗膜Ｓが付着している転写テープＴが干渉しない為、転写テープＴから転写塗膜Ｓの塗膜剥離も防止している。
また、転写ヘッド３６０の出没時に、転写テープＴは常に弛むことがない為、転写ヘッド３６０を転写具ケース７ａに収納する際は、転写ヘッド３６０をケース開口部７ｂの端部に収納可能である。つまり、転写ヘッド３６０がケース開口部７ｂの端部にあっても、転写テープＴが転写具ケース７ａの中に収納されている為、転写テープＴは保護されている。また、上記構成である為、無駄に転写ヘッド３６０を転写具ケース７ａ内に収納させる必要がなく、転写具ケース７ａのスリム化が図れるメリットもある。
【００４３】
また、転写ヘッド３６０をケース開口部７ｂから突出させた場合、転写ヘッド３６０の下部後方に位置していた転写塗膜Ｓが、転写ヘッド３６０の押圧部３６０ａの突出操作によって転写具ケース７ａに収納されていた転写テープＴとともに転写ヘッド３６０の先端部（押圧部３６０ａ）まで引き出される。これは、前記に記述した転写ヘッド３６０を転写具ケース７ａに収納すると、テープ走行経路移動変更部材３６０ｂが後退し、そのテープ走行経路変更部材３６０ｂを介していた転写テープＴは、テープ走行経路移動変更部材３６０ｂによって引っ張られた距離と、テープ走行経路移動変更部材３６０ｂとテープ走行経路固定変更部材３１０ｐとの離間距離とで、転写テープＴが収納されるからであり、元々転写ヘッド３６０の上部、下部に位置していた転写テープＴのみを転写具ケース７ａ内に収納させているからである。
更に言えば、転写ヘッド３６０の突出動作時には、転写具ケース７ａ内に収納させた転写テープＴのみを転写ヘッド３６０の押圧部３６０ａにて突出させている為、転写ヘッド３６０が突出状態の際、転写塗膜Ｓは、常にその塗膜位置が転写ヘッド３６０の先端にくるように構成されている。また、転写テープＴの繰出コア４０に対する巻付け径が巻取コア３０より小さいため、繰出コア４０からのテープ引出し速度よりも巻取コア３０によるテープ巻取り速度が速くなり、常に巻取コア３０が繰出コア４０よりも多く転写テープＴを巻き取る働きをしている。
その結果、使用済みの転写テープＴを巻取コア３０に確実に巻取ることができるようになっている。
以上、本実施例においては、同軸上に繰出コア４０と巻取コア３０を設けてなしているが、独立した軸を設けて、歯車、タイミングベルなどを利用して連動させても良い。
【００４４】
（実施例７）
次に、図３２〜図３６の図面に基づき第７実施形態の塗膜転写具の構成について説明する。前記実施例６と同様な構成については、その説明を省略する。尚、図中、実施例６と同様な構成については、同一符号を付す。転写具ケース８ａは転写具ケース下部４１０と転写具ケース上部４２０より構成されている。前記転写具ケース下部４１０は、前壁４１０ａ、後壁４１０ｂ、右壁４１０ｃ、左壁４１０ｄと底壁４１０ｅを有する有底の箱形状を成しており、その転写具ケース下部４１０内の中央部には、突出した回転軸４１０ｆが立設されており、その回転軸４１０ｆには巻取コア３０が回転自在に軸支されている。その巻取コア３０には係合爪３０ｆが形成されており、その係合爪３０ｆは、前記転写具ケース上部４２０の底面より形成された放射状溝４２０ｋと係脱可能に係合している。
【００４５】
また、転写具ケース下部４１０の底壁４１０ｅにあって、左壁４１０ｄ側の前壁４１０ａ近傍部に円柱状の組み付け部４１０ｇが、後壁４１０ｂ近傍部にも円柱状の組み付け部４１０ｈが形成されている。また、前壁４１０ａにあって、右壁４１０ｃの近傍には、長方形状のケース下部開口部４１０ｋが貫通穴として形成されている。さらに、ケース下部開口部４１０ｋの右壁４１０ｃ近傍の側面と反対の側面には、２列の平行な壁が転写具ケース下部４１０の右壁４１０ｃに沿って後壁４１０ｂ付近まで形成されており、ガイドレール４１０ｌとして機能しているが、一方のガイドレール４１０ｍは中央付近までしか形成されていない。そのガイドレール４１０ｌ、４１０ｍの向かい合う壁の上部近傍には、ガイド溝４１０ｎ、４１０ｏが貫通穴として形成されている。さらに、ガイドレール４１０ｍと同様の形状をしたガイドレール４１０ｊは、右壁４１０ｃ近傍にあって後壁４１０ｂより配設され、ガイド溝４１０ｒを有している。
また、転写具ケース下部４１０の底壁４１０ｅであって、回転軸４１０ｆより右壁４１０ｃ側方向で、ガイドレール４１０ｍの外側近傍には、円柱状のテープ走行経路固定変更部材４１０ｉが立設されていると共に、底壁４１０ｅであって、後壁４１０ｂ側の右壁４１０ｃ近傍には、長方体形状のガイド壁４１０ｐが形成されている。そして、そのガイド壁４１０ｐの後壁４１０ｂ側の面の上部には、ばね取付部４１０ｑが円柱状に形成されている。
【００４６】
一方、転写具ケース上部４２０は、前壁４２０ａ、後壁４２０ｂ、右壁４２０ｃ、左壁４２０ｄと底壁４２０ｅを有する有底の箱形状を成しており、転写具ケース下部４１０と同形状の底面を有していると共に、転写具ケース上部４２０の後壁４２０ｂと右壁４２０ｃで構成される角部には、ノック出没穴４２０ｐが貫通穴として形成されている。また、転写具ケース上部４２０の底壁４２０ｅには、円筒形状の組み付け部４２０ｇ、４２０ｈが形成されており、転写具ケース下部４１０の組み付け部４１０ｇ、４１０ｈと嵌合可能としている。同様に、組み付け部４２０ｆと組み付け部４２０ｉも円筒形状を成しており、回転軸４１０ｆと嵌合可能な組み付け部４２０ｆ、テープ走行経路固定変更部材４１０ｉと嵌合可能な組み付け部４２０ｉとなっている。また、前記転写具ケース上部４２０であって、組み付け部４２０ｆの外径より大の内径を有する円筒形状の逆転防止部材４２０ｌが回転軸４１０ｆを中心として形成されており、その上端部には、放射状の溝４２０ｋが形成されている。
さらに、前記転写具ケース上部４２０には、転写具ケース下部４１０と同様の個所に、ケース上部開口部４２０ｊが形成されていると共に、ケース上部開口部４２０ｊと前記ケース下部開口部４１０ｋによってケース開口部８ｂが形成される。また、転写具ケース上部４２０の天面にあって、ケース開口部４２０ｊ近傍、右壁４２０ｃの近傍には、コの字型の穴であるボタンヒンジ穴４２０ｎがケース開口部４２０ｊに口を開いた形で形成されている。そして、転写具ケース上部４２０には、円柱形状の上テープ走行経路４２０ｍが形成されているが、その円柱形状の上テープ走行経路４２０ｍは組み付け部４２０ｆより右壁４２０ｃ側であって、組み付け部４２０ｉよりも後壁４２０ｂ側に形成されている。
尚、ボタンヒンジ穴４２０ｎのコの字の穴の幅は、ケース開口部４２０ｊとほぼ同程度の大きさを有しており、ボタンヒンジ穴４２０ｎの溝同士で挟まれた転写具ケース上部４２０の天面には、三角柱状の突起である解除ボタン部４２０ｏが形成されている。
ヒンジ係止部４２０ｑは、解除ボタン部４２０ｏとは反対の面のボタンヒンジ穴４２０ｎ近傍の後壁４２０ｂ側にあり、ボタンヒンジ穴４２０ｎとほぼ同等の幅を有する突起を有している。
【００４７】
前記ノック出没穴４２０ｐには、ノック部４５０が配置されており、そのノック部４５０は、長方体の形状を成している。そのノック部４５０の一つの面の中央部には、前方端部から後方端部にかけて、長方体状の突起であるスライド突起４５０ａが形成されており、そのスライド突起４５０ａは、ガイドレール４１０ｊのガイド溝４１０ｒよりも小さい長方体の突起となっている。また、そのスライド突起４５０ａと反対の面には、同様の形状を成したスライド突起４５０ｂが形成されており、それらスライド突起４５０ａ、４５０ｂの短手方向で挟まれた面の一方は、その面の形状と同様であり、かつ、その面より小さな形状の溝であるノック嵌合部４５０ｃが形成されている。
尚、前記スライド突起４５０ａの下面にあるノック嵌合部４５０ｃの溝をヘッド嵌合部４５０ｄと称し、また、スライド突起４５０ｂの下面にあるノック嵌合部４５０ｃの溝をヘッド嵌合部４５０ｅと称する。前記転写ヘッド４６０は、長方体の板状を成しており、弾性変形が可能な材質を用いている。また、その転写ヘッド４６０の前方端部には、断面形状がほぼ三角形状の押圧部４６０ａが形成されており、転写ヘッド４６０の長手方向のほぼ中央部には、円柱状をなしたテープ走行経路移動変更部材４６０ｂが配設されている。そのテープ走行経路移動変更部材４６０ｂとは反対側の面にあって、転写ヘッド４６０のほぼ中央部には、Ｌ字型の突起であるヒンジ部４６０ｃが立設され、そのヒンジ部４６０ｃの転写ヘッド４６０の付け根と反対側の端部には、係止部４６０ｄが突起として配設されている。
さらに、その転写ヘッド４６０のほぼ中央部にあるヒンジ部４６０ｃの根元部近傍より、転写ヘッド４６０の後方端部近傍にかけて、長方形状の長穴４６０ｅが形成されている。その長穴４６０ｅの後方端部であって、転写ヘッド４６０の肉厚部分には、円柱状の突起として、ばね取付部４６０ｆが配設されている。
また、転写ヘッド４６０の前方部の幅方向の両側部には、ほぼ三角形状を成したテープガイド４６０ｇが形成されており、その転写ヘッド４６０の板厚は、ガイド溝４１０ｎ、４１０ｏよりも薄く、その幅は、ガイド溝４１０ｎと４１０ｏとで挟まれた幅よりも小さく形成されていると共に、その転写ヘッド４６０はガイド溝４１０ｎ、４１０ｏ内で摺動されるようになっているが、前記ノック部４５０のヘッド嵌合部４５０ｄ、４５０ｅには、転写ヘッド４６０の後方端部が嵌合される為、一体となって摺動する。
また、転写ヘッド４６０にはコイルばね４７０が係止しているが、そのコイルばね４７０は一般的に使用されているコイルばねであるが、ばね取付部４１０ｑとばね取付部４６０ｆの外径と嵌合されるよう配置されている。つまり、転写ヘッド４６０が転写具ケース８ａ内を摺動する時、常にコイルばね４７０の弾撥力を受ける状態となっている。
尚、本実施例では、転写具ケース下部４１０、転写具ケース上部４２０、巻取コア３０、繰出コア４０、ノック部４５０、転写ヘッド４６０、コイルばね４７０、引張コイルばね３８０、転写テープＴの９つの部品で構成されている。
【００４８】
次に、本実施例の作用について図３５、図３６を基に説明する。転写ヘッド４６０が転写具ケース８ａ内に収納されている際、ノック部４５０は転写具ケース上部４２０の上方から見ると、ノック出没穴４２０ｐから突出した状態となっている。ここで、転写ヘッド４６０を転写具ケース８ａより突出させる場合は、ノック部４５０を後壁４２０ｂ側よりケース開口部８ｂにかけて押し込むことで、その操作に連動して転写ヘッド４６０はケース開口部８ｂより突出させる。この時、コイルばね４７０は、ばね取付部４１０ｑとばね取付部４６０ｆとで圧縮された状態となり、転写ヘッド４６０の係止部４６０ｄがヒンジ部４６０ｃのＬ字の角部を基点として撓みながらヒンジ係止部４２０ｑを乗り越える。その乗り越え動作により、ケース開口部８ｂに近い側で係止部４６０ｄの後方端部とヒンジ係止部４２０ｑの前方端部で係止され、転写ヘッド４６０の突出状態を保つ状態となる。
次に、その転写ヘッド４６０を突出状態から収納状態にさせる為には、係止部４６０ｄの後方端部とヒンジ係止部４２０ｑの前方端部での係止を解除させ、圧縮されたコイルばね４７０が元に戻ろうとする復元力を利用して戻す。その係止の解除方法は、転写具ケース上部４２０の解除ボタン部４２０ｏを転写具ケース下部４１０に向けて押し込むことでなされる。即ち、転写具ケース上部４２０のボタンヒンジ穴４２０ｎのコの字型の穴の両端部を基点として、ボタンヒンジ穴４２０ｎで囲まれた面が撓み、その下面が押し込まれることによって、係止部４６０ｄもヒンジ部４６０ｃのＬ字の角部を基点として撓み係止が解除される。その解除動作によって、転写ヘッド４６０は、転写具ケース８ａ内に収納される。
上記構成が故、転写ヘッド４６０を突出させる際にはノック部４５０を押し、逆に収納させる場合は、解除ボタン部４２０ｏを押すだけである為、出没機構がワンタッチ操作であるので、非常に簡便な操作で突出が可能となっている。
さらに、筆箱等の容器に入れて塗膜転写具を収納させていた場合であっても不用意に転写ヘッド４６０を突出させないようにする為、ノック部４５０の後方端部は、転写具ケース８ａの後壁側よりも突出していない設計となっている。転写ヘッド４６０や、塗膜Ｓの傷付きを防止することも可能となっている。
修正テープ転写時において、繰出コア４０より繰出された転写テープＴは、テープ走行経路固定変更部材４１０ｉに向かって送出され、テープ走行経路固定変更部材４１０ｉの前壁４１０ａ側の側面で折り返され、転写ヘッド４６０のテープ走行経路移動変更部材４６０ｂに向かう。
【００４９】
また、この時に転写テープＴの転写塗膜Ｓ側が、テープ走行経路固定変更部材４１０ｉの側面に接触する。そして、そのテープ走行経路移動変更部材４６０ｂの後壁４１０ｂ側の側面で転写テープＴ側は接触しながら折り返され、転写ヘッド４６０の下面を通過し、転写ヘッド押圧部４６０ａで転写テープＴ側が接触しながら折り返される。折り返された転写テープＴは、転写ヘッド押圧部４６０ａより、転写ヘッド４６０の上面を通過し、上テープ走行経路４２０ｍへと向かう。そして、上テープ走行経路４２０ｍの右壁４１０ｃ側であって、後壁４１０ｂ側の側面で折り返された転写テープＴは、巻取コア３０の巻取り部３０ｂによって巻き取られる構成となっている。また、この後壁４１０ｂ側の側面で折り返されて接触するテープの面は、転写テープＴ側であっても、転写塗膜Ｓ側であっても良いが、塗膜への傷付がない転写テープＴ側が望ましい。
ここで、転写具ケース８ａに転写ヘッド４６０を収納させる際には、解除ボタン部４２０ｏを押し、係止部４６０ｄとヒンジ係止部４２０ｑの係止を解除させることにより、転写具ケース８ａの後方へと転写ヘッド４６０を収納させる。この時、転写ヘッド４６０に形成されているテープ走行経路移動変更部材４６０ｂも連動して後退し、同時に、テープ走行経路移動変更部材４６０ｂを介している転写テープＴは転写具ケース８ａ内に収納される。
【００５０】
更に、その際、テープ走行経路移動変更部材４６０ｂとテープ走行経路固定変更部材４１０ｉとの間にある転写テープＴもテープ走行経路移動変更部材４６０ｂの後退により離間距離が生まれるため、転写テープＴは転写具ケース７ａ内に収納される。また、この時、転写テープＴの収納時においても、巻取コア３０の係合部３０ｄが、放射状溝３２０ｋと係合しているため、巻取り方向とは逆に回転することが防止され、転写テープＴは巻取らない。故に、転写ヘッド４６０を転写具ケース８ａに収納すると、テープ走行経路移動変更部材４６０ｂが後退し、そのテープ走行経路移動変更部材４６０ｂを介していた転写テープＴは、テープ走行経路移動変更部材４６０ｂによって引っ張られた距離と、テープ走行経路移動変更部材４６０ｂとテープ走行経路固定変更部材４１０ｉとの離間距離とで引っ張られ、転写テープＴは収納される。即ち、テープ走行経路変更部材４６０ｂの移動距離に対して、転写テープＴはほぼ２倍の距離を移動し収納されることになる。この引っ張り動作によって、転写ヘッド４６０の下部に位置していた転写テープＴに対して貼り付けられている転写塗膜Ｓが転写ヘッド４６０の後方に収納される。
上記構成が故、繰出コア４０から繰出され、テープ走行経路固定変更部材４１０ｉを介し、テープ走行経路移動変更部材４６０ｂを介して、転写ヘッド４６０の押圧部４６０ａで折り返され、上テープ走行経路４２０ｍを介して、巻取コア３０の巻取り部３０ｂにより巻き取られる転写テープＴの長さは、転写ヘッド４６０の没入操作時においても弛むことなく一定である。尚、転写テープＴは、出没動作時において常に弛むことのない状態であり、前記に記述した転写ヘッド４６０の収納時に転写ヘッド４６０の下部に位置していた転写テープＴに対して貼り付けられている転写塗膜Ｓが転写ヘッド４６０の後方に収納される構成が故に、転写塗膜Ｓの傷付が防止される。
それと同時に、押圧部４６０ａで転写塗膜Ｓが付着している転写テープＴが干渉しない為、転写テープＴから転写塗膜Ｓの塗膜剥離も防止している。また、転写ヘッド４６０の出没時に、転写テープＴは常に弛むことがない為、転写ヘッド４６０を転写具ケース８ａに収納する際は、転写ヘッド４６０をケース開口部８ｂの端部に収納可能である。つまり、転写ヘッド４６０がケース開口部８ｂの端部にあっても、転写テープＴが転写具ケース８ａの中に収納されている為、転写テープＴは保護されている。また、上記構成である為、無駄に転写ヘッド４６０を転写具ケース８ａ内に収納させる必要がなく、転写具ケース８ａのスリム化が図れるメリットもある。
【００５１】
また、転写ヘッド４６０をケース開口部８ｂから突出させた場合、転写ヘッド４６０の下部後方に位置していた転写塗膜Ｓが、転写ヘッド４６０の押圧部４６０ａの突出操作によって転写具ケース８ａに収納されていた転写テープＴとともに転写ヘッド４６０の先端部（押圧部４６０ａ）まで引き出される。これは、前記に記述した転写ヘッド４６０を転写具ケース８ａに収納すると、テープ走行経路移動変更部材４６０ｂが後退し、そのテープ走行経路移動変更部材４６０ｂを介していた転写テープＴは、テープ走行経路移動変更部材４６０ｂによって引っ張られた距離と、テープ走行経路移動変更部材４６０ｂとテープ走行経路固定変更部材４１０ｉとの離間距離とで、転写テープＴが収納されるからであり、元々転写ヘッド４６０の上部、下部に位置していた転写テープＴのみを転写具ケース８ａ内に収納させているからである。
更に言えば、転写ヘッド４６０の突出動作時には、転写具ケース８ａ内に収納させた転写テープＴのみを転写ヘッド４６０の押圧部４６０ａにて突出させている為、転写ヘッド４６０が突出状態の際、転写塗膜Ｓは、常にその塗膜位置が転写ヘッド４６０の先端にくるように構成されている。また、転写テープＴの繰出コア４０に対する巻付け径が巻取コア３０より小さいため、繰出コア４０からのテープ引出し速度よりも巻取コア３０によるテープ巻取り速度が速くなり、常に巻取コア３０が繰出コア４０よりも多く転写テープＴを巻き取る働きをしている。その結果、使用済みの転写テープＴを巻取コア３０に確実に巻取ることができるようになっている。
以上、本実施例においては、同軸上に繰出コア４０と巻取コア３０を設けてなしているが、独立した軸を設けて、歯車、タイミングベルなどを利用して連動させても良い。
【００５２】
（実施例８）
次に、図３７〜図４３の図面に基づき第８実施形態の塗膜転写具の構成について説明する。前記実施例１と同様な構成については、その説明を省略する。尚、図中、実施例１と同様な構成については、同一符号を付す。転写具ケース９ａは転写具ケース下部５１０と転写具ケース上部５２０より構成されている。前記転写具ケース下部５１０は、前壁５１０ａ、後壁５１０ｂ、右壁５１０ｃ、左壁５１０ｄと底壁５１０ｅを有する有底の箱形状を成しており、その転写具ケース下部５１０内の中央部には、突出した回転軸５１０ｆが立設されており、その回転軸５１０ｆには巻取コア３０が回転自在に軸支されている。その前記巻取コア３０の係合爪３０ｆは、転写具ケース上部５２０の底面より形成された放射状溝５２０ｋと係脱可能に係合している。
また、前記実施例１と同様の構成として繰出コア４０の内側は、前記スリップ部３０ａの側面に圧接された状態で嵌合されている。これにより、繰出コア４０は摩擦抵抗を付与された状態で回転自在に軸支され、繰出コア４０のスリップ部３０ａに対する回転方向への摩擦抵抗が付与されると共に、お互いが組み付けられ、また、分解が防止されている。また、繰出コア４０には、転写テープＴが巻き付けられている。
【００５３】
前記転写具ケース下部５１０の底壁５１０ｅにあって、左壁５１０ｄ側の前壁５１０ａ近傍部に円柱状の組み付け部５１０ｇが、後壁５１０ｂ近傍部にも円柱状の組み付け部５１０ｈが形成されている。また、前壁５１０ａにあって、右壁５１０ｃの近傍には、長方形状のケース下部開口部５１０ｋが貫通穴として形成されており、そのケース下部開口部５１０ｋの右壁５１０ｃ近傍の側面と反対の側面には、２列の並行な壁が転写具ケース下部５１０の右壁５１０ｃに沿って後壁５１０ｂ付近まで形成されているガイドレール５１０ｌとガイドレール５１０ｍが形成されているが、ガイドレール５１０ｍは中央付近までしか形成されていない。そのガイドレール５１０ｌ、５１０ｍの向かい合う壁の上部近傍には、ガイド溝５１０ｎ、５１０ｏが貫通穴として各々形成されている。
また、前記転写具ケース下部５１０の底壁５１０ｅであって、回転軸５１０ｆより右壁５１０ｃ側方向で、ガイドレール５１０ｍの外側近傍には、円柱状のテープ走行経路固定変更部材５１０ｉが立設されていると共に、底壁５１０ｅであって、後壁５１０ｂ側の右壁５１０ｃ近傍には、長方体の突起であるバネ設置台座下部５１０ｊが立設してある。そのバネ設置台座下部５１０ｊの前壁５１０ａ側に向いた面のほぼ中央部には、円柱状の突起として、バネ設置部下部５１０ｐが形成されている。
【００５４】
一方、転写具ケース上部５２０は、前壁５２０ａ、後壁５２０ｂ、右壁５２０ｃ、左壁５２０ｄと底壁５２０ｅを有する有底の箱形状を成しており、転写具ケース下部５１０と同形状の底面を有しており、前記底壁５２０ｅには、組み付け部５２０ｇ、５２０ｈが円筒形状に形成されており、転写具ケース下部５１０の組み付け部５１０ｇ、５１０ｈと嵌合可能とされ、組み付けられる。
同様に、組み付け部５２０ｆと組み付け部５２０ｉも円筒形状を成しており、回転軸５１０ｆと嵌合可能な組み付け部５２０ｆ、テープ走行経路固定変更部材５１０ｉと嵌合可能な組み付け部５２０ｉとなっており、組み付けられる。また、転写具ケース上部５２０であって、組み付け部５２０ｆの外径より大きい内径を有する円筒形状の逆転防止部材５２０ｌが回転軸５１０ｆを中心として形成されており、その上端部には、放射状の溝５２０ｋが形成されている。
また、転写具ケース上部５２０には、転写具ケース下部５１０と同様の個所に、ケース上部開口部５２０ｊが形成されていると共に、前記ケース下部開口部５１０ｋとによってケース開口部９ｂが形成される。また、転写具ケース上部５２０の天面にあって、ケース開口部５２０ｊ近傍、右壁５２０ｃの近傍には、ガイド溝５２０ｍが長方形状の溝として前壁５２０ａから、ケース中央部より後壁５２０ｂ側まで形成されており、そのガイド溝５２０ｍには、転写ヘッドガイド穴５２０ｎが前壁５２０ａ近傍よりガイド溝５２０ｍよりも小さい幅で長方形状に形成されている。
そのガイド溝５２０ｍ内にあって、転写ヘッドガイド穴５２０ｎの後方には、ボタンガイド穴５２０ｏがガイド溝５２０ｍの後方端部にかけて長方形状に形成されており、そのガイド溝５２０ｍと後壁５２０ｂで挟まれたほぼ中央部には、四角形の貫通穴であるプッシュボタン係止穴５２０ｐが形成されている。
尚、ボタンガイド穴５２０ｏとプッシュボタン係止穴５２０ｐのほぼ中央にあって、組み付け部５２０ｆが配設されている面には、長方体の突起であるバネ設置台座上部５２０ｑが配設され、そのバネ設置台座上部５２０ｑのほぼ中央であって、後壁５２０ｂ側の面には、バネ設置部上部５２０ｒが円柱状の突起として立設されている。
また、転写具ケース上部５２０の後壁５２０ｂ側の面にあって、プッシュボタン係止穴５２０ｐの後方端部には、プッシュボタンスライド穴５２０ｓが形成されている。
【００５５】
転写ヘッド５６０は、長方体の板状を成しており、弾性変形が可能な材質を用いている。その転写ヘッド５６０の前方端部には、断面形状がほぼ三角形状の押圧部５６０ａが形成されており、その押圧部５６０ａとは反対側の端部付近には、円柱状に突設したテープ走行経路移動変更部材５６０ｂが配設されている。そのテープ走行経路移動変更部材３６０ｂが配設されている面とは反対側であって、転写ヘッド５６０のほぼ中央部であり、転写ヘッド５６０の両側面のほぼ端部には、長方体形状のスライド突起５６０ｃ、５６０ｄが立設されている。そのスライド突起５６０ｃ、５６０ｄの上端部の内側には、ほぼ三角形状を成した係止突起５６０ｅ、５６０ｆが形成されている。
また、転写ヘッド５６０の前方部の幅方向の両側部には、ほぼ三角形状を成したテープガイド５６０ｇが形成されていると共に、転写ヘッド５６０の後方端部には、ヘッド部バネ設置台座５６０ｈが長方体を成してテープ走行経路移動変更部材５６０ｂと同じ方向で立設されており、そのヘッド部バネ設置台座５６０ｈのほぼ中央であって、転写ヘッド５６０の後方端部側の面には、ヘッド部バネ設置部５６０ｉが円柱状の突起として立設されている。
尚、転写ヘッド５６０の板厚は、ガイド溝５１０ｎ、５１０ｏよりも薄く、その幅は、ガイド溝５１０ｎ、５１０ｏとで挟まれた幅よりも小さく形成されており、ガイド溝５１０ｎ、５１０ｏ内で摺動されるようになっている。また、その転写ヘッド５６０と転写具ケース上部５２０と転写具ケース下部５１０とが組み付けられた際、転写ヘッド５６０のスライド突起５６０ｃ、５６０ｄは、転写具ケース上部５２０の転写ヘッドガイド穴５２０ｎより突出された状態となる。
【００５６】
スライドボタン５７０は、転写ヘッド５６０と同様に、長方体の板状を成しており、弾性変形が可能な材質を用いている。また、スライドボタン５７０の前方端部には、長方体形状の突起であるボタンスライド部５７０ａが形成され、そのボタンスライド部５７０ａには、長方形状の穴である転写ヘッド嵌合穴５７０ｂがある。さらに、スライドボタン５７０は、転写ヘッド嵌合穴５７０ｂより挿入される転写ヘッド５６０の係止突起５６０ｅ、５６０ｆと、転写具ケース上部５２０のガイド溝５２０ｍとで係止可能となっている。
前記スライドボタン５７０のほぼ中央部にあって、ボタンスライド部５７０ａが形成されている側には、長方体状のケーススライド部５７０ｃが突設されており、ケーススライド部５７０ｃの上部には、ケーススライド部５７０ｃの上面より大の長方体の突起であるスライド係止部５７０ｄが形成されている。
また、スライドボタン５７０の後方端部には、弾性反発部５７０ｅがほぼ三角形状を成した突起として形成されていると共に、スライドボタン５７０のケーススライド部５７０ｃとは反対側の面には、ボタン滑り止め部５７０ｆがほぼ三角形状を成した複数の突起として形成され、中央部から端部にかけて形成されている。
前記転写ヘッド５６０の後方には、プッシュボタン５９０が配置されており、そのプッシュボタン５９０は、長方体の板状を成しており、弾性変形が可能な材質を用いている。そのプッシュボタン５９０の一方の端部には、断面形状がほぼ三角形の突起である係止部５９０ａが形成されている。また、前記係止部５９０ａとは反対側の端部であるもう一方の端部には、長方形状の突起として、プッシュボタン部５９０ｂが形成されている。
前記転写ヘッド５６０のほぼ中央部であって、係止部５９０ａとは反対側の面には、長方体の突起であるプッシュボタンバネ設置台座５９０ｃが形成されており、そのプッシュボタンバネ設置台座５９０ｃのほぼ中央にあって、係止部５９０ａに向かう面には、円柱状の突起として、プッシュボタンバネ設置部５９０ｄが形成されている。そして、そのプッシュボタンバネ設置部５９０ｄにはコイルばね５５０が止着しているが、そのコイルばね５５０は一般的に使用されているコイルばねであるが、ヘッド部バネ設置部５６０ｉとバネ設置部下部５１０ｐの外径と嵌合されるよう設計されている。同様にして、コイルばね５８０は、バネ設置部上部５２０ｒとプッシュボタンバネ設置部５９０ｄの外径と嵌合されるよう設計されている。また、プッシュボタン５９０は、転写具ケース上部５２０のプッシュボタンスライド穴５２０ｓ内で摺動し、摺動部としては、プッシュボタン部５９０ｂの前方面より、プッシュボタンバネ設置台座５９０ｃの後方面までとされ配置されている。
尚、本実施例では、転写具ケース下部５１０、転写具ケース上部５２０、巻取コア３０、繰出コア４０、コイルばね５５０、転写ヘッド５６０、スライドボタン５７０、コイルばね５８０、プッシュボタン５９０、転写テープＴの１０個の部品で構成されている。
【００５７】
次に、本実施例の作用について図４２、図４３を基に説明する。スライドボタン５７０は、転写ヘッド嵌合穴５７０ｂより挿入される転写ヘッド５６０の係止突起５６０ｅ、５６０ｆと、転写具ケース上部５２０のガイド溝５２０ｍとで係止されているため、例えば、スライドボタン５７０をケース開口部９ｂに対して前後に摺動させると、転写ヘッド５６０が転写具ケース９ａのケース開口部９ｂから突出・没入する。
転写ヘッド５６０の収納状態としては、転写ヘッド５６０のヘッド部バネ設置部５６０ｉが転写具ケース下部５１０のバネ設置部下部５１０ｐに近接する状態となる為、それに伴って、ヘッド部バネ設置部５６０ｉとバネ設置部下部５１０ｐに取り付けられているコイルばね５５０が圧縮された状態となっている。さらに、そのコイルばね５５０の圧縮状態を保ち、転写ヘッド５６０を転写具ケース９ａ外へ突出させないように、スライドボタン５７０の弾性反発部５７０ｅの前方面とプッシュボタン５９０の係止部５９０ａの後方面とで係止されるよう構成されている。また、プッシュボタン５９０の未使用時において、係止部５９０ａは、転写具ケース上部５２０のプッシュボタン係止穴５２０ｐより突出した状態となっているが、プッシュボタン５９０をケース開口部９ｂに向けて押し込む動作を行った場合、プッシュボタン５９０の係止部５９０ａは、プッシュボタン５９０より、突設されているプッシュボタンバネ設置台座５９０ｃの付け根部分より転写具ケース下部５１０側へと撓み、転写具ケース上部５２０内に係止部５９０ａが完全に潜り込む形となる。
【００５８】
尚、この時、転写具ケース上部５２０のバネ設置部上部５２０ｒとプッシュボタン５９０のプッシュボタンバネ設置部５９０ｄに取り付けられているコイルばね５８０は、圧縮された状態となっている為、プッシュボタン５９０の押し込み動作を解除すると、コイルばねは元の状態へと復元しようとする為、プッシュボタン５９０とコイルばね５８０は自然とプッシュボタンを押す前の状態へと移行する。以上の構成により、転写ヘッド５６０が収納状態より突出状態へとする場合には、プッシュボタン５９０をケース開口部９ｂに向けて押し込む動作を行うことで、スライドボタン５７０の弾性反発部５７０ｅとプッシュボタン５９０の係止部５９０ａの係止を解除させ、転写ヘッド５６０を転写具ケース９ａより突出させるようになっている。それとは逆に、転写ヘッド５６０を転写具ケース９ａ内に収納させる場合は、転写ヘッド５６０と連動して動くスライドボタン５７０を、転写具ケース９ａ後方にスライドさせる。
尚、この転写ヘッド５６０の収納状態を保つ為には、スライドボタン５７０を弾性反発部５７０ｅの前方面とプッシュボタン５９０の係止部５９０ａの後方面とで係止するまで、スライドボタン５７０を後方にスライドさせる必要がある。上記構成が故、転写ヘッド５６０収納時には、スライドボタン５７０をスライドさせる動作が必要となっているが、転写ヘッド５６０突出時には、プッシュボタン５９０を押すだけのワンタッチ操作で転写ヘッド５６０を突出可能とする為、非常に簡便な操作で使用が可能となっている。
ここで、転写ヘッド５６０を突出させる際は、プッシュボタン５９０を押すだけのワンタッチ操作となっている為、使用したい時にすぐに転写ヘッド５６０を突出でき、転写動作にスムーズに移行できる。
修正テープ転写時において、繰出コア４０より繰出された転写テープＴは、テープ走行経路固定変更部材５１０ｉに向かって送出され、テープ走行経路固定変更部材５１０ｉの前壁５１０ａ側の側面で折り返され、転写ヘッド５６０のテープ走行経路移動変更部材５６０ｂに向かう。また、この時に転写テープＴの転写塗膜Ｓ側が、テープ走行経路固定変更部材５１０ｉの側面に接触する。
【００５９】
そして、そのテープ走行経路移動変更部材５６０ｂの後壁５１０ｂ側の側面で転写テープＴ側は接触しながら折り返され、転写ヘッド５６０の下面を通過し、転写ヘッド押圧部５６０ａで転写テープＴ側が接触しながら折り返される。その折り返された転写テープＴは、転写ヘッド押圧部５６０ａより、転写ヘッド５６０の上面を通過し、スライド突起５６０ｃ、５６０ｄ間を通過しながらテープ走行経路固定変更部材５１０ｉの上部へと向かう。そして、テープ走行経路固定変更部材５１０ｉ上部の右壁５１０ｃ側であって、後壁５１０ｂ側の側面で折り返された転写テープＴは、巻取コア３０の巻取り部３０ｂによって巻き取られる構成となっている。尚、この後壁５１０ｂ側の側面で折り返されて接触するテープの面は、転写テープＴ側であっても、転写塗膜Ｓ側であっても良いが、塗膜への傷付がない転写テープＴ側が望ましい。
ここで、転写具ケース９ａに転写ヘッド５６０を収納させる際には、スライドボタン５７０を弾性反発部５７０ｅの前方面とプッシュボタン５９０の係止部５９０ａの後方面とで係止するまで、スライドボタン５７０を転写具ケース９ａの後方へ移動させる。この時、転写ヘッド５６０に形成されているテープ走行経路移動変更部材５６０ｂもスライドボタン５７０と連動して後退し、同時に、テープ走行経路移動変更部材５６０ｂを介している転写テープＴは転写具ケース９ａ内に収納される。更に、その際、テープ走行経路移動変更部材５６０ｂとテープ走行経路固定変更部材５１０ｉとの間にある転写テープＴもテープ走行経路移動変更部材５６０ｂの後退により離間距離が生まれるため、転写テープＴは転写具ケース９ａ内に収納される。また、この時、転写テープＴの収納時においても、巻取コア３０の係合部３０ｄが、放射状溝５２０ｋと係合しているため、巻取り方向とは逆に回転することが防止され、転写テープＴは巻取らない。
【００６０】
故に、転写ヘッド５６０を転写具ケース９ａに収納すると、テープ走行経路移動変更部材５６０ｂが後退し、そのテープ走行経路変更部材５６０ｂを介していた転写テープＴは、テープ走行経路移動変更部材５６０ｂによって引っ張られた距離と、テープ走行経路移動変更部材５６０ｂとテープ走行経路固定変更部材５１０ｉとの離間距離とで引っ張られ、転写テープＴは収納される。即ち、テープ走行経路変更部材５６０ｂの移動距離に対して、転写テープＴはほぼ２倍の距離を移動し収納されることになる。この引っ張り動作によって、転写ヘッド５６０の下部に位置していた転写テープＴに対して貼り付けられている転写塗膜Ｓが転写ヘッド５６０の後方に収納される。上記構成が故、繰出コア４０から繰出され、テープ走行経路固定変更部材５１０ｉを介し、テープ走行経路移動変更部材５６０ｂを介して、転写ヘッド５６０の押圧部５６０ａで折り返され、スライド突起５６０ｃ、５６０ｄ間を通り、テープ走行経路固定変更部材５１０ｉ上部を介して、巻取コア３０の巻取り部３０ｂにより巻き取られる転写テープＴの長さは、転写ヘッド５６０の没入操作時においても弛むことなく一定である。
尚、転写テープＴは、出没動作時において常に弛むことのない状態であり、前記に記述した転写ヘッド５６０の収納時に転写ヘッド５６０の下部に位置していた転写テープＴに対して貼り付けられている転写塗膜Ｓが転写ヘッド５６０の後方に収納される構成が故に、転写塗膜Ｓの傷付を防ぐ。それと同時に、押圧部５６０ａで転写塗膜Ｓが付着している転写テープＴが干渉しない為、転写テープＴから転写塗膜Ｓの塗膜剥離も防止している。また、転写ヘッド５６０の出没時に、転写テープＴは常に弛むことがない為、転写ヘッド５６０を転写具ケース９ａに収納する際は、転写ヘッド５６０をケース開口部９ｂの端部に収納可能である。つまり、転写ヘッド５６０がケース開口部９ｂの端部にあっても、転写テープＴが転写具ケース９ａの中に収納されている為、転写テープＴは保護されている。
また、上記構成である為、無駄に転写ヘッド５６０を転写具ケース９ａ内に収納させる必要がなく、転写具ケース９ａのスリム化が図れるメリットもある。
【００６１】
また、転写ヘッド５６０をケース開口部９ｂから突出させた場合、転写ヘッド５６０の下部後方に位置していた転写塗膜Ｓが、転写ヘッド５６０の押圧部５６０ａの突出操作によって転写具ケース９ａに収納されていた転写テープＴとともに転写ヘッド５６０の先端部（押圧部５６０ａ）まで引き出される。これは、前記に記述した転写ヘッド５６０を転写具ケース９ａに収納すると、テープ走行経路移動変更部材５６０ｂが後退し、そのテープ走行経路変更部材５６０ｂを介していた転写テープＴは、テープ走行経路移動変更部材５６０ｂによって引っ張られた距離と、テープ走行経路移動変更部材５６０ｂとテープ走行経路固定変更部材５１０ｉとの離間距離とで、転写テープＴが収納されるからであり、元々転写ヘッド５６０の上部、下部に位置していた転写テープＴのみを転写具ケース９ａ内に収納させているからである。更に言えば、転写ヘッド５６０の突出動作時には、転写具ケース９ａ内に収納させた転写テープＴのみを転写ヘッド５６０の押圧部５６０ａにて突出させている為、転写ヘッド５６０が突出状態の際、転写塗膜Ｓは、常にその塗膜位置が転写ヘッド５６０の先端にくるように構成されている。また、転写テープＴの繰出コア４０に対する巻付け径が巻取コア３０より小さいため、繰出コア４０からのテープ引出し速度よりも巻取コア３０によるテープ巻取り速度が速くなり、常に巻取コア３０が繰出コア４０よりも多く転写テープＴを巻き取る働きをしている。その結果、使用済みの転写テープＴを巻取コア３０に確実に巻取ることができるようになっている。
以上、本実施例においては、同軸上に繰出コア４０と巻取コア３０を設けてなしているが、独立した軸を設けて、歯車、タイミングベルなどを利用して連動させても良い。
【符号の説明】
【００６２】
１    転写具ケース
２    ケース開口部
３    転写具ケース
４    ケース開口部
５    転写具ケース
６    ケース開口部
７ａ  転写具ケース
７ｂ  ケース開口部
８ａ  転写具ケース
８ｂ  ケース開口部
９ａ  転写具ケース
９ｂ  ケース開口部
１０    転写具ケース下部
１０ａ  前壁
１０ｂ  後壁
１０ｃ  右壁
１０ｄ  左壁
１０ｅ  底壁
１０ｆ  回転軸
１０ｇ  組み付け部
１０ｈ  組み付け部
１０ｉ  組み付け部
１０ｊ  ケース下部開口部
１０ｋ  ガイドレール
１０ｌ  ガイドレール
１０ｍ  ガイド溝
１０ｎ  ガイド溝
１０ｏ  テープ走行経路固定変更部材
１０ｐ  半円弧状の穴
２０    転写具ケース上部
２０ａ  前壁
２０ｂ  後壁
２０ｃ  右壁
２０ｄ  左壁
２０ｅ  底壁
２０ｆ  組み付け部
２０ｇ  組み付け部
２０ｈ  組み付け部
２０ｉ  組み付け部
２０ｊ  ケース上部開口部
２０ｋ  放射状溝
２０ｌ  逆転防止部材
２０ｍ  ガイド溝
２０ｎ  転写ヘッドガイド穴
２０ｏ  組み付け部
２０ｐ  ボタンガイド穴
２０ｑ  正方形穴
３０    巻取コア
３０ａ  スリップ部
３０ｂ  巻取り部
３０ｃ  円柱部材
３０ｄ  係合部
３０ｅ  「コ」の字型の溝
３０ｆ  係合爪
４０    繰出コア
４０ａ  底面
４０ｂ  巻取り溝
５０  ローラー
６０    転写ヘッド
６０ａ  押圧部
６０ｂ  テープ走行経路移動変更部材
６０ｃ  スライド突起
６０ｄ  スライド突起
６０ｅ  係止突起
６０ｆ  係止突起
６０ｇ  テープガイド
７０    スライドボタン
７０ａ  ボタンスライド部
７０ｂ  転写ヘッド嵌合穴
７０ｃ  ケーススライド部
７０ｄ  スライド係止部
７０ｅ  弾性反発部
７０ｆ  ボタン滑り止め部
１００    転写具ケース下部
１００ａ  回転軸
１００ｂ  ガイドレール
１００ｃ  ガイドレール
１００ｄ  ガイド溝
１００ｅ  ガイド溝
１００ｆ  テープ走行経路固定変更部材
１００ｇ  テープ走行経路
１００ｈ  半円弧状の穴
１１０    転写具ケース上部
１１０ａ  組み付け部
１１０ｂ  組み付け部
１１０ｃ  逆転防止部材
１１０ｄ  放射状溝
１１０ｅ  スライド溝
１２０    転写ヘッド
１２０ａ  押圧部
１２０ｂ  テープ走行経路移動変更部材
１２０ｃ  テープガイド
１３０    スライドボタン
１３０ａ  転写ヘッド嵌合部
２００    転写具ケース下部
２００ａ  前壁
２００ｂ  後壁
２００ｃ  右壁
２００ｄ  左壁
２００ｅ  底壁
２００ｆ  回転軸
２００ｇ  走行経路部材
２００ｈ  回転軸
２００ｉ  放射状溝
２００ｊ  ケース下部開口部
２００ｋ  ケース連結部
２００ｌ  ケース連結部
２００ｍ  ケース連結部
２００ｎ  移動規制部材
２００ｏ  テープ走行経路固定変更部材
２１０    転写具ケース上部
２１０ａ  前壁
２１０ｂ  後壁
２１０ｃ  右壁
２１０ｄ  左壁
２１０ｅ  底壁
２１０ｆ  回転軸
２１０ｇ  スライド溝
２１０ｈ  移動規制部材
２１０ｉ  転写具ケース溝
２１０ｊ  ケース下部開口部
２１０ｋ  ケース連結受部
２１０ｌ  ケース連結受部
２１０ｍ  ケース連結受部
２１０ｎ  軸受け部
２２０    繰出コア
２２０ａ  歯車
２２０ｂ  円筒部
２２０ｃ  溝
２３０    スリップ部材
２３０ａ  大径円筒部
２３０ｂ  小径円筒部
２３０ｃ  突起
２３０ｄ  巻取溝
２４０    巻取コア
２４０ａ  歯車
２４０ｂ  円筒部
２４０ｃ  平板部
２４０ｄ  係合部
２４０ｅ  「コ」の字型の溝
２４０ｆ  係止爪
２５０    転写ヘッド
２５０ａ  押圧部
２５０ｂ  テープ走行経路移動変更部材
２５０ｃ  テープガイド
２６０    スライド部材
２６０ａ  円形の溝
３１０    転写具ケース下部
３１０ａ  前壁
３１０ｂ  後壁
３１０ｃ  右壁
３１０ｄ  左壁
３１０ｅ  底壁
３１０ｆ  回転軸
３１０ｇ  組み付け部
３１０ｈ  組み付け部
３１０ｉ  バネ設置部下部
３１０ｊ  バネ設置部上部
３１０ｋ  ケース下部開口部
３１０ｌ  ガイドレール
３１０ｍ  ガイドレール
３１０ｎ  ガイド溝
３１０ｏ  ガイド溝
３１０ｐ  テープ走行経路固定変更部材
３２０    転写具ケース上部
３２０ａ  前壁
３２０ｂ  後壁
３２０ｃ  右壁
３２０ｄ  左壁
３２０ｅ  底壁
３２０ｆ  組み付け部
３２０ｇ  組み付け部
３２０ｈ  組み付け部
３２０ｉ  組み付け部
３２０ｊ  ケース上部開口部
３２０ｋ  放射状溝
３２０ｌ  逆転防止部材
３２０ｍ  ガイド溝
３２０ｎ  転写ヘッドガイド穴
３２０ｏ  ボタンガイド穴
３２０ｐ  ヒンジ溝
３２０ｑ  解除ボタン部
３２０ｒ  スライドボタン係止部
３５０    ローラー
３６０    転写ヘッド
３６０ａ  押圧部
３６０ｂ  テープ走行経路移動変更部材
３６０ｃ  スライド突起
３６０ｄ  スライド突起
３６０ｅ  係止突起
３６０ｆ  係止突起
３６０ｇ  テープガイド
３６０ｈ  バネ設置部
３７０    スライドボタン
３７０ａ  ボタンスライド部
３７０ｂ  転写ヘッド嵌合穴
３７０ｃ  ケーススライド部
３７０ｄ  スライド係止部
３７０ｅ  弾性反発部
３７０ｆ  ボタン滑り止め部
３８０    引張コイルばね
３８０ａ  フック
３８０ｂ  フック
４１０    転写具ケース下部
４１０ａ  前壁
４１０ｂ  後壁
４１０ｃ  右壁
４１０ｄ  左壁
４１０ｅ  底壁
４１０ｆ  回転軸
４１０ｇ  組み付け部
４１０ｈ  組み付け部
４１０ｉ  テープ走行経路固定変更部材
４１０ｊ  ガイドレール
４１０ｋ  ケース下部開口部
４１０ｌ  ガイドレール
４１０ｍ  ガイドレール
４１０ｎ  ガイド溝
４１０ｏ  ガイド溝
４１０ｐ  ガイド壁
４１０ｑ  ばね取付部
４１０ｒ  ガイド溝
４２０    転写具ケース上部
４２０ａ  前壁
４２０ｂ  後壁
４２０ｃ  右壁
４２０ｄ  左壁
４２０ｅ  底壁
４２０ｆ  組み付け部
４２０ｇ  組み付け部
４２０ｈ  組み付け部
４２０ｉ  組み付け部
４２０ｊ  ケース上部開口部
４２０ｋ  放射状の溝
４２０ｌ  逆転防止部材
４２０ｍ  テープ走行経路
４２０ｎ  ボタンヒンジ穴
４２０ｏ  解除ボタン部
４２０ｐ  ノック出没穴
４２０ｑ  ヒンジ係止部
４５０    ノック部
４５０ａ  スライド突起
４５０ｂ  スライド突起
４５０ｃ  ノック嵌合部
４５０ｄ  ヘッド嵌合部
４５０ｅ  ヘッド嵌合部
４６０    転写ヘッド
４６０ａ  押圧部
４６０ｂ  テープ走行経路移動変更部材
４６０ｃ  ヒンジ部
４６０ｄ  係止部
４６０ｅ  長穴
４６０ｆ  ばね取付部
４６０ｇ  テープガイド
４７０    コイルばね
５１０    転写具ケース下部
５１０ａ  前壁
５１０ｂ  後壁
５１０ｃ  右壁
５１０ｄ  左壁
５１０ｅ  底壁
５１０ｆ  回転軸
５１０ｇ  組み付け部
５１０ｈ  組み付け部
５１０ｉ  テープ走行経路固定変更部材
５１０ｊ  バネ設置台座下部
５１０ｋ  ケース下部開口部
５１０ｌ  ガイドレール
５１０ｍ  ガイドレール
５１０ｎ  ガイド溝
５１０ｏ  ガイド溝
５１０ｐ  バネ設置部下部
５２０    転写具ケース上部
５２０ａ  前壁
５２０ｂ  後壁
５２０ｃ  右壁
５２０ｄ  左壁
５２０ｅ  底壁
５２０ｆ  組み付け部
５２０ｇ  組み付け部
５２０ｈ  組み付け部
５２０ｉ  組み付け部
５２０ｊ  ケース上部開口部
５２０ｋ  放射状溝
５２０ｌ  逆転防止部材
５２０ｍ  ガイド溝
５２０ｎ  転写ヘッドガイド穴
５２０ｏ  ボタンガイド穴
５２０ｐ  プッシュボタン係止穴
５２０ｑ  バネ設置台座上部
５２０ｒ  バネ設置部上部
５２０ｓ  プッシュボタンスライド穴
５５０    コイルばね
５６０    転写ヘッド
５６０ａ  押圧部
５６０ｂ  テープ走行経路移動変更部材
５６０ｃ  スライド突起
５６０ｄ  スライド突起
５６０ｅ  係止突起
５６０ｆ  係止突起
５６０ｇ  テープガイド
５６０ｈ  ヘッド部バネ設置台座
５６０ｉ  ヘッド部バネ設置部
５７０    スライドボタン
５７０ａ  ボタンスライド部
５７０ｂ  転写ヘッド嵌合穴
５７０ｃ  ケーススライド部
５７０ｄ  スライド係止部
５７０ｅ  弾性反発部
５７０ｆ  ボタン滑り止め部
５８０    コイルばね
５９０    プッシュボタン
５９０ａ  係止部
５９０ｂ  プッシュボタン部
５９０ｃ  プッシュボタンバネ設置台座
５９０ｄ  プッシュボタンバネ設置部
６０１    転写具ケース下部
６０１ａ  ケース口
６０１ｂ  移動規制部材
６０１ｃ  放射状溝
６０１ｄ  回転軸
６０１ｅ  回転軸
６０１ｆ  ケース連結部
６０１ｇ  ケース連結部
６０１ｈ  ケース連結部
６０１ｉ  走行経路部材
６０１ｊ  走行経路部材
６０１ｋ  ヘッド軸受溝
６０２    転写具ケース上部
６０２ａ  ケース口
６０２ｂ  移動規制部材
６０２ｃ  スライド溝
６０２ｄ  転写具ケース溝
６０２ｅ  軸受部
６０２ｆ  ケース連結部
６０２ｇ  ケース連結部
６０２ｈ  ケース連結部
６０２ｉ  走行経路部材連結部
６０２ｋ  スライド溝
６０３    巻取コア
６０３ａ  係合部
６０３ｂ  歯車
６０３ｃ  円筒部
６０３ｄ  平板部
６０３ｅ  溝
６０３ｆ  係合爪
６０４    繰出コア
６０４ａ  溝
６０４ｂ  歯車
６０４ｃ  円筒部
６０５    スリップ部材
６０５ａ  巻取り溝
６０５ｂ  突起
６０５ｃ  大径円筒部
６０５ｄ  小径円筒部
６０６    転写ヘッド
６０６ａ  テープガイド
６０６ｂ  走行経路変更部材
６０６ｃ  先端部
６０７    スライド機構
６０７ａ  凹部
６１０    転写具ケース
６１６    転写ヘッド
６１６ａ  可動部
６１６ｂ  貫通穴
６１６ｃ  貫通穴
６１６ｄ  貫通穴
６１６ｅ  走行経路変更部材
６１６ｆ  貫通穴
６１７    スライド機構
６１７ａ  溝
６１８    ヘッド軸
６２０    開口部
Ｓ        転写塗膜
Ｔ        転写テープ
【図１】
2010195029.tif 000003
【図２】
2010195029.tif 000004
【図３】
2010195029.tif 000005
【図４】
2010195029.tif 000006
【図５】
2010195029.tif 000007
【図６】
2010195029.tif 000008
【図７】
2010195029.tif 000009
【図８】
2010195029.tif 000010
【図９】
2010195029.tif 000011
【図１０】
2010195029.tif 000012
【図１１】
2010195029.tif 000013
【図１２】
2010195029.tif 000014
【図１３】
2010195029.tif 000015
【図１４】
2010195029.tif 000016
【図１５】
2010195029.tif 000017
【図１６】
2010195029.tif 000018
【図１７】
2010195029.tif 000019
【図１８】
2010195029.tif 000020
【図１９】
2010195029.tif 000021
【図２０】
2010195029.tif 000022
【図２１】
2010195029.tif 000023
【図２２】
2010195029.tif 000024
【図２３】
2010195029.tif 000025
【図２４】
2010195029.tif 000026
【図２５】
2010195029.tif 000027
【図２６】
2010195029.tif 000028
【図２７】
2010195029.tif 000029
【図２８】
2010195029.tif 000030
【図２９】
2010195029.tif 000031
【図３０】
2010195029.tif 000032
【図３１】
2010195029.tif 000033
【図３２】
2010195029.tif 000034
【図３３】
2010195029.tif 000035
【図３４】
2010195029.tif 000036
【図３５】
2010195029.tif 000037
【図３６】
2010195029.tif 000038
【図３７】
2010195029.tif 000039
【図３８】
2010195029.tif 000040
【図３９】
2010195029.tif 000041
【図４０】
2010195029.tif 000042
【図４１】
2010195029.tif 000043
【図４２】
2010195029.tif 000044
【図４３】
2010195029.tif 000045